(57)【要約】      （修正有）【課題】印刷品位の低下を抑制する適正なワイピング処理が可能な液体吐出装置を提供する。【解決手段】ワイパー６１Ａ、６１Ｂと、ワイパーによりワイピングされるワイピング面１１と、ワイピング面１１に設けられた複数のノズル３１と、ノズル３１からインクを吐出させる圧電素子と、ワイパーとワイピング面１１との相対移動を行わせるキャリッジユニット及びクリーニングユニットと、を備え、ワイピング面１１に対する第１のワイパー６１Ａの移動方向において、ワイピング面１１の移動方向の上流側の辺４０Ａ１と上流側に配置されたノズル３１Ｊ２Ａとの間の距離Ｄ１は、ワイピング面１１の移動方向の下流側の辺４０Ａ３と下流側に配置されたノズル３１Ｊ２Ｂとの間の距離Ｄ２よりも短い。【選択図】図８
2017124517.tif 000002
【特許請求の範囲】
【請求項１】
ワイパーと、
前記ワイパーによりワイピングされるワイピング面と、
前記ワイピング面に設けられた複数のノズルと、
前記ノズルから液体を吐出させる駆動素子と、
前記ワイパーと前記ワイピング面との相対移動を行わせる移動機構と、
を備え、
前記ワイピング面に対する前記ワイパーの移動方向において、前記ワイピング面の前記移動方向の上流側の縁と前記上流側に配置された前記ノズルとの間の距離は、前記ワイピング面の前記移動方向の下流側の縁と前記下流側に配置された前記ノズルとの間の距離よりも短いことを特徴とする液体吐出装置。
【請求項２】
前記液体は、保湿剤を含み、
前記ワイパーは、前記液体のうち前記保湿剤の含有率が少ない液体を吐出するノズルをワイピングした後に、前記液体のうち前記保湿剤の含有率が多い液体を吐出するノズルをワイピングすることを特徴とする請求項１に記載の液体吐出装置。
【請求項３】
前記ワイパーの前記移動方向と交差する方向の長さは、前記ワイピング面の前記移動方向と交差する方向の長さよりも短く、
前記ワイパーは、前記ワイピング面の前記上流側の縁から前記ワイピング面の前記下流側の縁までの相対移動を複数回行うことにより、前記ワイピング面をワイピングすることを特徴とする請求項１または２に記載の液体吐出装置。
【請求項４】
前記ワイピング面は、前記ノズルが形成されたノズルプレートを複数有し、
前記ノズルプレートは、千鳥に配置されており、
前記ノズルプレートのそれぞれは、前記移動方向において、前記ワイピング面の前記下流側の縁よりも、前記上流側の縁に近い位置に配置されていることを特徴とする請求項１乃至３のいずれか１項に記載の液体吐出装置。
【請求項５】
前記ワイピング面は、前記ノズルが形成された第１のノズルプレートと第２のノズルプレートとを含み、
前記ワイパーは、前記第１のノズルプレートをワイピングする第１のワイパーと、前記第２のノズルプレートをワイピングする第２のワイパーとを有していることを特徴とする請求項１乃至４のいずれか１項に記載の液体吐出装置。
【請求項６】
前記ワイピング面は、前記ノズルが形成された第１のノズルプレートと第２のノズルプレートとを含み、
前記ワイパーは、前記第１のノズルプレートをワイピングした後に、前記第２のノズルプレートをワイピングすることを特徴とする請求項１乃至４のいずれか１項に記載の液体吐出装置。
【請求項７】
前記ワイピング面は、前記ノズルが形成された第１のノズルプレートと第２のノズルプレートとが、前記移動方向に配置されたノズルプレート群を有し、
前記ノズルプレート群は、前記移動方向において、前記ワイピング面の前記下流側の縁よりも、前記上流側の縁に近い位置に配置され、
前記ワイパーは、前記移動方向に沿って前記ノズルプレート群をワイピングすることを特徴とする請求項１乃至４のいずれか１項に記載の液体吐出装置。
【請求項８】
前記ワイピング面は、前記液体のうち高粘度の液体を吐出するノズルが形成されたノズルプレートと、前記液体のうち低粘度の液体を吐出するノズルが形成されたノズルプレートとを有し、
前記ワイピング面に対する前記ワイパーの移動の速さは、前記液体のうち低粘度の液体を吐出するノズルが形成されたノズルプレートよりも、前記液体のうち高粘度の液体を吐出するノズルが形成されたノズルプレートの方が遅いことを特徴とする請求項１乃至７のいずれか１項に記載の液体吐出装置。
【請求項９】
前記ワイピング面は、前記ノズルが配置された第１領域と、前記ノズルが配置されていない第２領域とを有し、
前記ワイピング面に対する前記ワイパーの移動の速さは、前記第１領域よりも前記第２領域の方が遅いことを特徴とする請求項１乃至８のいずれか１項に記載の液体吐出装置。
【請求項１０】
ワイパーと、
前記ワイパーによりワイピングされるワイピング面と、
前記ワイピング面に設けられた複数のノズルと、
前記ノズルから液体を吐出させる駆動素子と、
前記ワイパーと前記ワイピング面との相対移動を行わせる移動機構と、
前記ワイピング面の縁で挟まれ、前記ノズルが配置されたノズル領域と、
を備え、
前記ノズル領域に近い側の前記ワイピング面の縁から、前記ノズル領域に遠い側の前記ワイピング面の縁に向かう方向に、前記ワイパーを相対移動させて前記ワイピング面をワイピングすることを特徴とする液体吐出ヘッドのワイピング方法。
【発明の詳細な説明】
【技術分野】
【０００１】
本発明は、液体吐出装置、及び当該液体吐出装置に搭載される液体吐出ヘッドのワイピング方法に関する。
【背景技術】
【０００２】
記録媒体に液体を吐出する液体吐出装置には、液体としてインクを吐出させて紙や記録シートなどの記録媒体に印刷を行うインクジェット式記録装置が知られている。
【０００３】
このようなインクジェット式記録装置に搭載されるインクジェット式記録ヘッドでは、ノズルからインクをインク滴として吐出するため、ノズル近傍にインクが付着し、さらに付着したインクが増粘すると、インク滴の吐出方向が安定しないという問題やインク滴が適正に吐出されにくいという問題がある。
このため、インクジェット式記録ヘッドのノズルが設けられたノズル面をワイパーでワイピングすることによりクリーニングするものが提案されている（例えば、特許文献１）。
【０００４】
特許文献１に記載のインクジェット式記録装置では、ラインヘッドに複数配置されたノズルヘッドのノズル面がワイパーでワイピングされる。
詳しくは、ラインヘッドのノズル面が配置される側は、ノズルヘッドが配置された領域と、ノズルヘッドが配置されていない領域とを有する。ワイパーは、上昇してラインヘッドに接触する、または下降してラインヘッドから離間する。ワイパーは、ノズルヘッドが配置された領域に近づくと、上昇してラインヘッドのノズル面に接触し、ノズル面をワイピングする。ワイパーは、ノズルヘッドが配置された領域から遠ざかると、下降してラインヘッドのノズル面から離間する。このため、ワイパーは、ラインヘッドの全域でなく、ノズルヘッド（ノズル面）が配置された領域をワイピングする。そして、ワイパーがラインヘッドの全域をワイピングする場合と比べて、ワイパーの早期摩耗や欠けの発生が防止され、ワイピング動作による周囲の汚れの発生が防止されるとしている。
【先行技術文献】
【特許文献】
【０００５】
【特許文献１】特開２０１２−０３５５６３号公報
【発明の概要】
【発明が解決しようとする課題】
【０００６】
ノズル面から吐出されたインクは、ミストとなって浮遊し、ノズルヘッドが配置された領域や、ノズルヘッドが配置されていない領域に付着する。特許文献１に記載のワイピング方法では、ノズルが配置された領域に付着したインクは取り除かれるが、ノズルが配置されていない領域に付着したインクは取り除かれないので、ノズルが配置されていない領域にインク（汚れ）が残存する。例えば、ノズルが配置されていない領域に残存する汚れが、予期せぬタイミングで記録媒体に落下し、記録媒体が汚されるおそれがある。また、ノズルが配置されていない領域に汚れが蓄積され、記録媒体が蓄積された汚れに接し、汚されるおそれもある。
すなわち、ラインヘッドのノズル面が配置される側の一部（ノズルが配置されていない領域）に汚れが残存するため、記録媒体が汚され、印刷品位が低下するおそれがあった。
【課題を解決するための手段】
【０００７】
本発明は、上述の課題の少なくとも一部を解決するためになされたものであり、以下の形態または適用例として実現することが可能である。
【０００８】
［適用例１］本適用例に係る液体吐出装置は、ワイパーと、前記ワイパーによりワイピングされるワイピング面と、前記ワイピング面に設けられた複数のノズルと、前記ノズルから液体を吐出させる駆動素子と、前記ワイパーと前記ワイピング面との相対移動を行わせる移動機構と、を備え、前記ワイピング面に対する前記ワイパーの移動方向において、前記ワイピング面の前記移動方向の上流側の縁と前記上流側に配置された前記ノズルとの間の距離は、前記ワイピング面の前記移動方向の下流側の縁と前記下流側に配置された前記ノズルとの間の距離よりも短いことを特徴とする。
【０００９】
ノズルから吐出される液体は、ミストとなって浮遊し、汚れとしてワイピング面に付着する。さらに、毛羽や埃などの異物もワイピング面に付着し、汚れの内部に取り込まれる。
ノズルがワイピング面に対して偏在して（非対称に）配置された場合、ワイピング面の縁とノズルとの間の距離が均一でなくなり、ワイピング面の縁とノズルとの間の距離が長い部分と、ワイピング面の縁とノズルとの間の距離が短い部分とが生じる。汚れはワイピング面に略均一に付着するので、汚れの付着数は、ワイピング面の縁とノズルとの間の距離が長い部分で多くなり、ワイピング面の縁とノズルとの間の距離が短い部分で少なくなる。
【００１０】
例えば、汚れの付着数が多い部分から汚れの付着数が少ない部分に向けてワイパーを移動させて、ワイピング面をワイピングすると、ワイパーと一緒に移動する汚れ（異物）が多くなり、ノズルの内部に異物が擦り込まれ、ノズルのインク吐出性能が劣化するという不具合が生じるおそれがある。汚れの付着数が少ない部分から汚れの付着数が多い部分に向けてワイパーを移動させると、汚れの付着数が多い部分から汚れの付着数が少ない部分に向けてワイパーを移動させる場合と比べて、ワイパーと一緒に移動する汚れ（異物）が少なくなり、ノズルの内部に異物が擦り込まれにくくなり、ノズルのインク吐出性能が劣化するという不具合が生じにくくなる。
【００１１】
汚れの付着数が少ない部分から汚れの付着数が多い部分に向けてワイパーを移動させることでは、ワイパーの移動方向の上流側におけるワイピング面の縁とノズルとの間の距離が、ワイパーの移動方向の下流側におけるワイピング面の縁とノズルとの間の距離が短くなるようにワイパーを移動させることであるので、本適用例によって、ノズルの内部に異物が擦り込まれ、ノズルのインク吐出性能が劣化するという不具合を抑制することができる。
【００１２】
さらに、ノズルが配置された領域だけでなく、ワイピング面の縁とノズルとの間（ノズルが配置されていない領域）に付着した汚れも取り除かれるので、ノズルが配置されていない領域に汚れが残存し、当該汚れによって記録媒体が汚され、印刷品位が低下するおそれも抑制することができる。
【００１３】
［適用例２］上記適用例に係る液体吐出装置では、前記液体は、保湿剤を含み、前記ワイパーは、前記液体のうち前記保湿剤の含有率が少ない液体を吐出するノズルをワイピングした後に、前記液体のうち前記保湿剤の含有率が多い液体を吐出するノズルをワイピングすることが好ましい。
【００１４】
保湿剤は、吸湿性を有し、液体の中の水系溶剤成分の蒸発を抑制し、液体の性状変化を抑制する。
仮に、液体の拭き残しによって、保湿剤の含有率が少ない液体を吐出するノズルの近くに、保湿剤の含有率が多い液体が配置される場合、保湿剤の含有率が少ない液体の中の水系溶剤成分が、保湿剤の含有率が多い液体に移動する現象が生じる。その結果、保湿剤の含有率が少ない液体の中の水系溶剤成分の濃度が変化する。このため、液体の拭き残しが発生した領域と、液体の拭き残しが発生していない領域とで、保湿剤の含有率が少ない液体の中の水系溶剤成分の濃度が変化し、保湿剤の含有率が少ない液体がノズルから均一に吐出されにくくなる。
【００１５】
一方、液体の拭き残しによって、保湿剤の含有率が多い液体を吐出するノズルの近くに、保湿剤の含有率が少ない液体が配置される場合、保湿剤の含有率が多い液体の中の水系溶剤成分が、保湿剤の含有率が少ない液体に移動する現象は生じない。このため、液体の拭き残しが発生した領域と、液体の拭き残しが発生していない領域とで、保湿剤の含有率が多い液体の中の水系溶剤成分の濃度は同じであるので、保湿剤の含有率が多い液体がノズルから均一に吐出され、上述した液体がノズルから均一に吐出されにくくなるという不具合を抑制することができる。
【００１６】
従って、保湿剤の含有率が少ない液体を吐出するノズルをワイピングした後に、保湿剤の含有率が多い液体を吐出するノズルをワイピングすると、液体の拭き残しによって、保湿剤の含有率が多い液体を吐出するノズルの近くに、保湿剤の含有率が少ない液体が配置され、保湿剤の含有率が少ない液体を吐出するノズルの近くに、保湿剤の含有率が多い液体が配置されないので、液体がノズルから均一に吐出されにくくなるという不具合を抑制することができる。
【００１７】
［適用例３］上記適用例に係る液体吐出装置では、前記ワイパーの前記移動方向と交差する方向の長さは、前記ワイピング面の前記移動方向と交差する方向の長さよりも短く、前記ワイパーは、前記ワイピング面の前記上流側の縁から前記ワイピング面の前記下流側の縁までの相対移動を複数回行うことにより、前記ワイピング面をワイピングすることが好ましい。
【００１８】
例えば、ノズルから吐出される液体の性状が異なると、それぞれの液体の性状によって適正なワイピング処理条件が異なり、ワイピング面において適正なワイピング処理条件が異なる領域が生じる。ワイパーの移動方向と交差する方向において、ワイパーの長さを、ワイピング面の長さよりも短くし、ワイピング面を複数の領域に分けてワイピングするようにすると、適正なワイピング処理条件が異なる領域のそれぞれで、適正なワイピング処理条件でワイピングすることができる。
【００１９】
［適用例４］上記適用例に係る液体吐出装置では、前記ワイピング面は、前記ノズルが形成されたノズルプレートを複数有し、前記ノズルプレートは、千鳥に配置されており、前記ノズルプレートのそれぞれは、前記移動方向において、前記ワイピング面の前記下流側の縁よりも、前記上流側の縁に近い位置に配置されていることが好ましい。
【００２０】
ノズルプレートは、ワイピング面に対して千鳥に配置されている（偏在して配置されている）ので、ワイピング面の縁とノズルプレートとの間の距離が長い部分と、ワイピング面の縁とノズルプレートとの間の距離が短い部分とが生じる。ワイパーの移動方向の下流側におけるワイピング面の縁とノズルプレートとの間の距離と比べて、ワイパーの移動方向の上流側におけるワイピング面の縁とノズルプレートとの間の距離が短くなるように、ワイパーを移動させることは、汚れの付着数が少ない部分から汚れの付着数が多い部分に向けてワイパーを移動させることであるので、ワイパーと一緒に移動する汚れ（異物）が少なくなり、ノズルの内部に異物が擦り込まれにくくなり、ノズルのインク吐出性能が劣化するという不具合が生じにくくなる。
【００２１】
［適用例５］上記適用例に係る液体吐出装置では、前記ワイピング面は、前記ノズルが形成された第１のノズルプレートと第２のノズルプレートとを含み、前記ワイパーは、前記第１のノズルプレートをワイピングする第１のワイパーと、前記第２のノズルプレートをワイピングする第２のワイパーとを有していることが好ましい。
【００２２】
第１のワイパーが第１のノズルプレートをワイピングし、第２のワイパーが第２のノズルプレートをワイピングするようにすると、一つのワイパーによって第１のノズルプレートと第２のノズルプレートとを同時に（一括で）ワイピングする場合と比べて、第１のノズルプレート及び第２のノズルプレートのそれぞれに対して適正なワイピング処理を施すことができる。
【００２３】
［適用例６］上記適用例に係る液体吐出装置では、前記ワイピング面は、前記ノズルが形成された第１のノズルプレートと第２のノズルプレートとを含み、前記ワイパーは、前記第１のノズルプレートをワイピングした後に、前記第２のノズルプレートをワイピングすることが好ましい。
【００２４】
ワイパーが、第１のノズルプレートをワイピングした後に、第２のノズルプレートをワイピングするようにすると、ワイパーが第１のノズルプレートと第２のノズルプレートとを同時に（一括で）ワイピングする場合と比べて、第１のノズルプレート及び第２のノズルプレートのそれぞれに対して適正なワイピング処理を施すことができる。
【００２５】
［適用例７］上記適用例に係る液体吐出装置では、前記ワイピング面は、前記ノズルが形成された第１のノズルプレートと第２のノズルプレートとが、前記移動方向に配置されたノズルプレート群を有し、前記ノズルプレート群は、前記移動方向において、前記ワイピング面の前記下流側の縁よりも、前記上流側の縁に近い位置に配置され、前記ワイパーは、前記移動方向に沿って前記ノズルプレート群をワイピングすることが好ましい。
【００２６】
第１のノズルプレートと第２のノズルプレートとは、ワイパーの移動方向に沿って配置されているので、ワイパーによって第１のノズルプレートと第２のノズルプレートとを連続的にワイピングすることができ、ワイピング処理を効率化することができる。
【００２７】
さらに、ノズルプレート群は、ワイピング面に対して偏在して配置されているので、ワイピング面の縁とノズルプレート群との間の距離が長い部分と、ワイピング面の縁とノズルプレート群との間の距離が短い部分とが生じる。ワイパーの移動方向の下流側におけるワイピング面の縁とノズルプレート群との間の距離と比べて、ワイパーの移動方向の上流側におけるワイピング面の縁とノズルプレート群との間の距離が短くなるように、ワイパーを移動させることは、汚れの付着数が少ない部分から汚れの付着数が多い部分に向けてワイパーを移動させることであるので、ワイパーと一緒に移動する汚れ（異物）が少なくなり、ノズルの内部に異物が擦り込まれにくくなり、ノズルのインク吐出性能が劣化するという不具合が生じにくくなる。
【００２８】
［適用例８］上記適用例に係る液体吐出装置では、前記ワイピング面は、前記液体のうち高粘度の液体を吐出するノズルが形成されたノズルプレートと、前記液体のうち低粘度の液体を吐出するノズルが形成されたノズルプレートとを有し、前記ワイピング面に対する前記ワイパーの移動の速さは、前記液体のうち低粘度の液体を吐出するノズルが形成されたノズルプレートよりも、前記液体のうち高粘度の液体を吐出するノズルが形成されたノズルプレートの方が遅いことが好ましい。
【００２９】
高粘度の液体は、低粘度の液体と比べて流動しにくいので、ワイピング面に付着した高粘度の液体は、ワイピング面に付着した低粘度の液体よりも、ワイピング処理によって取り除きにくい。
ワイパーからワイピング面に作用する力（ワイピング力）が一定である場合、ワイピング処理においてワイピング力を長時間作用させると、ワイピング処理の汚れを取り除く能力を高めることができる。よって、ワイピング面に付着した高粘度の液体は、ワイピング面に付着した低粘度の液体と比べて、ワイピング力が長時間作用するようにワイピングされることが好ましい。
【００３０】
従って、低粘度の液体を吐出するノズルが形成されたノズルプレートよりも、高粘度の液体を吐出するノズルが形成されたノズルプレートの方が、ワイピング面に対するワイパーの移動の速さが遅くなると、ノズルプレートに付着した高粘度の液体（汚れ）に対してワイピング力が長時間作用するようになり、当該高粘度の液体（汚れ）を適正に取り除くことができる。
【００３１】
［適用例９］上記適用例に係る液体吐出装置では、前記ワイピング面は、前記ノズルが配置された第１領域と、前記ノズルが配置されていない第２領域とを有し、前記ワイピング面に対する前記ワイパーの移動の速さは、前記第１領域よりも前記第２領域の方が遅いことが好ましい。
【００３２】
ノズルが配置された第１領域に付着した汚れは、ノズルから吐出される液体によって取り除かれ、第１領域にはノズルから吐出される液体が付着する。さらに、第１領域に付着した液体は、ノズルから液体が吐出されるごとに更新されるので、第１領域には増粘していない液体が付着する。
【００３３】
ノズルが配置されていない第２領域に付着した汚れは、ノズルから吐出される液体によって取り除かれず、ノズルから液体が吐出されるごとに第２領域に蓄積される。さらに、第２領域に付着した（蓄積された）汚れの中の溶剤成分が蒸発し、当該汚れが増粘するので、第２領域には、増粘した汚れが付着する。
【００３４】
第２領域に付着した増粘した汚れは、第１領域に付着した増粘していない液体と比べて流動しにくいので、ワイピング力を長時間作用させ、ワイピング処理の汚れを取り除く能力を高めて、ワイピングされることが好ましい。
従って、ワイピング面に対するワイパーの移動の速さが、第１領域よりも第２領域の方が遅くすると、第２領域に付着した増粘した汚れに対して、ワイピング力が長時間作用するようになり、第２領域に付着した増粘した汚れを適正に取り除くことができる。
【００３５】
［適用例１０］本適用例に係る液体吐出ヘッドのワイピング方法は、ワイパーと、前記ワイパーによりワイピングされるワイピング面と、前記ワイピング面に設けられた複数のノズルと、前記ノズルから液体を吐出させる駆動素子と、前記ワイパーと前記ワイピング面との相対移動を行わせる移動機構と、前記ワイピング面の縁で挟まれ、前記ノズルが配置されたノズル領域と、を備え、前記ノズル領域に近い側の前記ワイピング面の縁から、前記ノズル領域に遠い側の前記ワイピング面の縁に向かう方向に、前記ワイパーを相対移動させて前記ワイピング面をワイピングすることを特徴とする。
【００３６】
ノズルは、ワイピング面に対してノズルが偏在して配置されているので、ワイピング面の縁とノズルとの間の距離は均一でなく、ワイピング面の縁とノズルとの間の距離が長い部分と、ワイピング面の縁とノズルとの間の距離が短い部分とが生じる。
汚れはワイピング面に略均一に付着するので、ワイピング面の縁とノズルとの間の距離が長い部分では汚れの付着数が多く、ワイピング面の縁とノズルとの間の距離が短い部分では汚れの付着数が少なくなる。よって、汚れの付着数が少ない部分から汚れの付着数が多い部分に向けてワイパーを移動させると、汚れの付着数が多い部分から汚れの付着数が少ない部分に向けてワイパーを移動させる場合と比べて、ワイパーと一緒に移動する汚れ（異物）が少なくなり、ノズルの内部に異物が擦り込まれにくくなり、ノズルのインク吐出性能が劣化するという不具合が生じにくくなる。
【００３７】
汚れの付着数が少ない部分から汚れの付着数が多い部分に向けてワイパーを相対移動させてワイピング面をワイピングすることは、ノズル領域に近い側のワイピング面の縁から、ノズル領域に遠い側のワイピング面の縁に向かう方向に、ワイパーを相対移動させてワイピング面をワイピングすることであるので、本適用例に係る液体吐出ヘッドのワイピング方法によって、ノズル内に異物が擦り込まれ、ノズルのインク吐出性能が劣化するという不具合を抑制することができる。
【図面の簡単な説明】
【００３８】
【図１】実施形態１に係る印刷システムの構成を示す概略図。
【図２】実施形態１に係るプリンターの状態を示す概略平面図。
【図３】記録ヘッドの分解斜視図。
【図４】図２のＡ−Ａ線に沿ったヘッド本体の要部断面図。
【図５】記録ヘッドの斜視図。
【図６】ワイピング面の状態を示す概略平面図。
【図７】図５のＧ−Ｇ線に沿った概略断面図。
【図８】ワイピング処理の状態を示す概略平面図。
【図９】図８のＢ−Ｂ線に沿った概略断面図。
【図１０】実施形態２に係るプリンターの状態を示す概略平面図。
【図１１】ワイピング処理の状態を示す概略平面図。
【図１２】実施形態３に係るプリンターのワイピング処理の状態を示す概略平面図。
【図１３】図１２のＣ−Ｃ線に沿った概略断面図。
【図１４】実施形態４に係るプリンターのワイピング処理の状態を示す概略平面図。
【発明を実施するための形態】
【００３９】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００４０】
（実施形態１）
「プリンターの概要」
図１は、実施形態１に係る印刷システム１００の構成を示す概略図である。図２は、本実施形態に係るインクジェット式記録装置（以降、プリンターと称す）の状態を示す概略平面図である。
最初に、図１及び図２を参照し、本実施形態に係るプリンター１の概要について説明する。
【００４１】
図１に示すように、印刷システム１００は、「液体吐出装置」の一例であるプリンター１と、コンピューター１０１とで構成される。
コンピューター１０１は、プリンター１と通信可能に接続され、画像に応じた印刷データをプリンター１に出力する。プリンター１は、コンピューター１０１から出力された印刷データに基づき、紙や樹脂シートなどの記録媒体に「液体」の一例であるインク１２（図２参照）を噴射（吐出）し、記録媒体上に画像等の記録（印刷）を行う。
【００４２】
プリンター１は、コントローラー１１１と、検出器群１１６と、搬送ユニット１２１と、キャリッジユニット１２２と、ヘッドユニット１２３と、メンテナンスユニット１２４とを有する。
なお、キャリッジユニット１２２及びクリーニングユニット１２６は、「移動機構」の一例である。
【００４３】
コントローラー１１１は、プリンター１の制御を行うための制御ユニットである。コントローラー１１１は、Ｉ／Ｆ（インターフェイス部）１１２と、ＣＰＵ１１３と、メモリー１１４と、ユニット制御回路１１５とを有する。インターフェイス部１１２はコンピューター１０１とプリンター１との間でデータの送受信を行うためのものである。ＣＰＵ１１３はプリンター１全体の制御を行うための演算処理装置である。メモリー１１４はＣＰＵ１１３のプログラムを格納する領域や作業領域等を確保するためのものである。ＣＰＵ１１３は、ユニット制御回路１１５により各ユニット１２１，１２２，１２３，１２４を制御する。プリンター１内の状況は、検出器群１１６によって監視され、検出器群１１６の検出結果に基づいて、ＣＰＵ１１３は各ユニット１２１，１２２，１２３，１２４を制御する。
【００４４】
搬送ユニット１２１は、記録媒体を所定の位置に搬送させるためのものであり、キャリッジユニット１２２は、インクジェット式記録ヘッド１０（以降、記録ヘッド１０と称す、図２参照）を所定の位置に移動させるためのものである。ヘッドユニット１２３は、記録媒体にインク１２を吐出する記録ヘッド１０を有している。
なお、記録ヘッド１０は、「液体吐出ヘッド」の一例である。
【００４５】
メンテナンスユニット１２４は、記録ヘッド１０から良好にインク１２が吐出されるように記録ヘッド１０を保守するためのものであり、キャップユニット１２５とクリーニングユニット１２６とを有する。
【００４６】
図２に示すように、プリンター１は、略矩形箱状をなす本体フレーム２を備え、本体フレーム２内の前方下部には、媒体支持部材３が主走査方向となる本体フレーム２の長手方向に沿って配設されている。媒体支持部材３は、略矩形状を有し、記録媒体を支持する支持台である。また、本体フレーム２内における媒体支持部材３の上方には、本体フレーム２の長手方向と平行に延びる棒状のガイド軸４が架設されている。
【００４７】
ガイド軸４には、キャリッジ５がガイド軸４に沿って往復移動可能な状態で支持されている。キャリッジ５は、本体フレーム２に設けられた一対のプーリー６ａ間に掛装された無端状のタイミングベルト６を介して本体フレーム２に設けられたキャリッジモーター７に連結されている。これにより、キャリッジ５は、キャリッジモーター７の駆動によってガイド軸４に沿って往復移動される。ガイド軸４、キャリッジ５、キャリッジモーター７、及びプーリー６ａなどは、キャリッジユニット１２２の一部をなす。
【００４８】
キャリッジ５は、記録ヘッド１０を保持する。記録ヘッド１０は、キャリッジユニット１２２によって、本体フレーム２の短手方向（主走査方向）に移動可能になっている。さらに、記録媒体は、搬送ユニット１２１によって主走査方向と直交する副走査方向（本体フレーム２の長手方向）に搬送可能になっている。
【００４９】
以降の説明では、副走査方向（本体フレーム２の短手方向）をＸ方向とし、副走査方向と直交する主走査方向（本体フレーム２の長手方向）をＹ方向とし、主走査方向及び副走査方向に直交する方向（本体フレーム２の厚さ方向）をＺ方向とする。さらに、図中で方向を示す矢印の先端側を「（＋）方向」、基端側を「（−）方向」とする。
【００５０】
本体フレーム２のＹ方向の一端側にはタンクホルダー９が設けられており、タンクホルダー９には液体供給源としての５個のインクタンク８がそれぞれ着脱可能に装着されている。各インクタンク８には互いに異なる種類（色）のインクが収容されている。本実施形態では、各インクタンク８に、シアン（Ｃ）のインク１２Ｃと、マゼンタ（Ｍ）のインク１２Ｍと、イエロー（Ｙ）のインク１２Ｙと、レッド（Ｒ）のインク１２Ｒと、ブラック（Ｋ）のインク１２Ｋとが収容されている。
なお、インクタンク８の数は特に限定されず、１つであってもよく、２つ以上の複数であってもよい。
以降の説明では、インク１２Ｃ，１２Ｍ，１２Ｙ，１２Ｒ，１２Ｋをまとめてインク１２と称す場合がある。
【００５１】
そして、タンクホルダー９に各インクタンク８を装着した状態では、インクタンク８に収容されているインク１２は、圧送手段（図示省略）によって加圧され、インク供給チューブ９ａとバルブユニット（図示省略）とを介して記録ヘッド１０に供給される。なお、圧送手段としては、例えば、インクタンク８を外部から押圧する押圧手段や、加圧ポンプ等が挙げられる。
バルブユニットは、内部に圧力調整弁を有する流路部材であり、記録ヘッド１０のノズル３１（図４参照）から安定してインク１２が吐出されるように、記録ヘッド１０に供給されるインク１２の流動圧を調整する。
【００５２】
本体フレーム２内におけるＹ方向の一端部寄りの位置であって、キャリッジ５のホームポジション領域ＨＰには、記録ヘッド１０のノズル３１からインク１２等を吸引する吸引部５０が設けられている。
【００５３】
吸引部５０は、キャップユニット１２５の一部をなし、増粘したインク１２や気泡が混入したインク１２を記録ヘッド１０から強制的に排出させるフラッシング処理を行う。後述するワイピング部６０は、クリーニングユニット１２６の一部をなし、記録ヘッド１０のワイピング面１１に付着した汚れを取り除くワイピング処理を行う。
【００５４】
プリンター１には、ワイピング部６０が２カ所設けられている。詳しくは、ホームポジション領域ＨＰのＸ（＋）方向側に第１ワイピング部６０Ａが設けられ、ホームポジション領域ＨＰのＸ（−）方向側に第２ワイピング部６０Ｂが設けられている。第１ワイピング部６０Ａは第１のワイパー６１Ａを有し、第２ワイピング部６０Ｂは第２のワイパー６１Ｂを有している。第１のワイパー６１Ａ及び第２のワイパー６１Ｂは、例えば、ゴムやエラストマー等の弾性部材で構成される。
以降の説明では、第１のワイパー６１Ａ及び第２のワイパー６１Ｂをまとめて、ワイパー６１と称する場合がある。
【００５５】
記録ヘッド１０のワイピング面１１は、キャリッジユニット１２２によって、所定の位置に移動可能となっている。すなわち、キャリッジユニット１２２は、記録ヘッド１０のワイピング面１１の位置を調整する。
【００５６】
ワイパー６１は、クリーニングユニット１２６によって、所定の位置に移動可能となっている。さらに、クリーニングユニット１２６によって、ワイパー６１がワイピング面１１に作用する力（ワイピング力）が一定となるように調整されている。すなわち、クリーニングユニット１２６は、ワイパー６１の位置及びワイパー６１のワイピング力を調整する。
【００５７】
ワイピング処理では、ワイパー６１が記録ヘッド１０のワイピング面１１に対して一定のワイピング力を作用させつつ、ワイパー６１が記録ヘッド１０のワイピング面１１に対して相対移動することによって、記録ヘッド１０のワイピング面１１に付着した汚れが取り除かれる。
【００５８】
本実施形態では、キャリッジユニット１２２及びクリーニングユニット１２６によって、ワイパー６１及び記録ヘッド１０の両方を移動させて、記録ヘッド１０のワイピング面１１に対してワイパー６１を相対移動させている。
なお、ワイパー６１だけを移動させ、記録ヘッド１０のワイピング面１１に対してワイパー６１を相対移動させてもよい。または、記録ヘッド１０だけを移動させ、記録ヘッド１０のワイピング面１１に対してワイパー６１を相対移動させてもよい。
以降の説明では、ワイピング面１１に対するワイパー６１の移動と、ワイピング面１１に対するワイパー６１の相対移動とは同等であり、ワイパー６１の移動は、ワイパー６１の相対移動を含む。
【００５９】
プリンター１では、ノズル３１からインク滴を吐出させながら記録ヘッド１０を主走査方向（Ｙ方向）に移動させるインク滴吐出動作と、記録媒体を副走査方向（Ｘ方向）に送る搬送動作とを交互に繰り返し、主走査方向に配列されたドットの列（ラスターライン）を副走査方向に並べることで所望の画像を記録媒体に印刷する。
【００６０】
「記録ヘッドの概要」
図３は、記録ヘッドの分解斜視図である。図４は、図２のＡ−Ａ線に沿ったヘッド本体の要部断面図である。図５は、Ｚ（＋）方向側から見た記録ヘッドの斜視図である。図６は、Ｚ（＋）方向側から見たワイピング面の状態を示す概略平面図である。図７は、図５のＧ−Ｇ線に沿った概略断面図である。
以下に、図３乃至図７を参照して、記録ヘッド１０の概要を説明する。
【００６１】
図３に示すように、記録ヘッド１０は、ヘッドケース２０と、複数のヘッド本体３０と、固定板４０と、を有する。固定板４０は、ヘッドケース２０のＺ（＋）方向側の面がインク滴などで汚染されないように保護する部材である。ヘッドケース２０は、ヘッド本体３０や固定板４０を保持（固定）する部材である。
【００６２】
固定板４０には、ヘッド本体３０のそれぞれに対応して、ヘッド本体３０のノズルプレート３２（図４参照）を露出する開口部４１が設けられている。固定板４０には、１０個の開口部４１が設けられている。開口部４１は、ノズルプレート３２よりも大きく開口している。なお、開口部４１をノズルプレート３２よりも狭い開口として、固定板４０をノズルプレート３２の表面に直接又は他の部材を介して接合してもよい。
【００６３】
固定板４０は、ヘッド本体３０のノズルプレート３２以外の部分と接合されると共にヘッドケース２０のＺ（＋）方向側の面、すなわち、ヘッド本体保持部２５（図７参照）の開口の周囲に接着剤等を介して固定されている。
【００６４】
ヘッドケース２０は、合成樹脂製の箱体状部材であり、バルブユニットのインク供給口に接続される装着部２１を有する。装着部２１には、バルブユニットのインク供給口に挿入されるインク供給針１９が設けられている。
【００６５】
図４に示すように、ヘッド本体３０は、流路ユニット２８と、圧力発生室形成基板２９と、振動板３８と、圧電素子２３と、保護基板４８とが順に積層された構成を有し、ヘッドケース２０に取り付けられている。
なお、圧電素子２３は、「駆動素子」の一例である。
【００６６】
ヘッドケース２０の内部には、各圧力発生室４５にインク１２を供給するリザーバー１８が形成されている。リザーバー１８は、複数並設された圧力発生室４５に共通なインク１２が貯留される空間であり、２列に並設された圧力発生室４５の列に対応して２つ形成されている。さらに、ヘッドケース２０には、バルブユニットからのインク１２をリザーバー１８に導入するインク連通路２２（図７参照）が形成されている。また、インク連通路２２内には、インク１２内の気泡や異物を除去するためのフィルター（図示省略）が配置されている。
【００６７】
流路ユニット２８は、連通基板２４とノズルプレート３２とを有している。連通基板２４は、シリコン製の板材である。連通基板２４には、リザーバー１８に連通され各圧力発生室４５に共通なインク１２が貯留される共通液室４３と、共通液室４３を介してリザーバー１８からのインク１２を各圧力発生室４５に個別に供給する個別連通路２６とが形成されている。
【００６８】
共通液室４３は、ノズル列方向に沿った長尺な空部であり、２列に並設された圧力発生室４５の列に対応して２列形成されている。個別連通路２６は、圧力発生室４５に対応して圧力発生室４５の並設方向に沿って複数形成されている。
【００６９】
連通基板２４の各ノズル３１に対応する位置には、連通基板２４の板厚方向を貫通したノズル連通路２７が形成されている。ノズル連通路２７によって、圧力発生室４５とノズル３１とが連通される。
【００７０】
ノズルプレート３２は、連通基板２４のＺ（＋）方向側の面に接合されたシリコン製の基板である。ノズルプレート３２は、共通液室４３となる空間のＺ（＋）方向側の開口を封止する。ノズルプレート３２には、複数のノズル３１が直線状（列状）に開設されている。本実施形態では、２列に形成された圧力発生室４５の列に対応して、ノズル３１の列が２列形成されている（図６参照）。
【００７１】
なお、ノズルプレートを連通基板における共通液室から内側に外れた領域に接合し、共通液室となる空間の下面側の開口を例えば可撓性を有するコンプライアンスシートなどの部材で封止することもできる。このようにすれば、ノズルプレートを可及的に小さくできる。
【００７２】
圧力発生室形成基板２９は、連通基板２４のＺ（−）方向側の面に接合されたシリコン製の基板である。圧力発生室形成基板２９は、圧力発生室４５を形成する空間（空部）が形成されている。圧力発生室形成基板２９の空部と、振動板３８と連通基板２４とで囲まれた領域が圧力発生室４５となる。圧力発生室４５は、ノズル列方向に直交する方向に長尺な空部であり、長手方向の一方の端部に個別連通路２６が連通されると共に、他方の端部にノズル連通路２７が連通される。
【００７３】
振動板３８は、弾性を有する薄膜状の部材であり、圧力発生室形成基板２９のＺ（−）方向側の面に形成されている。振動板３８は、圧力発生室形成基板２９のＺ（−）方向側の面に形成された酸化シリコンからなる弾性膜と、この弾性膜上に形成された酸化ジルコニウムからなる絶縁膜とで構成されている。
【００７４】
圧電素子２３は、各圧力発生室４５内のインク１２に圧力変化を生じさせるアクチュエーターとして機能する薄板状の圧電デバイスであり、振動板３８のＺ（−）方向側の面に形成されている。圧電素子２３は、所謂撓みモードの圧電デバイスであり、ノズル３１から遠ざかる方向あるいは近接する方向に変位する。
なお、圧電素子２３は、軸方向に伸長、収縮する縦振動モードの圧電デバイスであってもよい。
【００７５】
圧電素子２３は、第１電極１５と、圧電体層１６と、第２電極１７とが順に積層されている。ここで、圧電素子２３は、第１電極１５、圧電体層１６及び第２電極１７を含む部分をいう。圧電素子２３では、一方の電極を共通電極とし、他方の電極及び圧電体層１６を圧力発生室４５毎にパターニングして構成される。本実施形態では、第１電極１５を圧電素子２３の共通電極とし、第２電極１７を圧電素子２３の個別電極としているが、駆動回路や配線の都合でこれを逆にしてもよい。
【００７６】
圧力発生室形成基板２９（振動板３８）には、圧電素子２３を保護するための保護基板４８が接合されている。圧電素子２３は、圧力発生室形成基板２９と保護基板４８とで密封され、外部の水分（湿気）の影響が抑制され、水分による圧電素子２３の劣化が抑制されている。
圧電素子２３の個別電極である各第２電極１７には、個別連通路２６とは反対側の端部近傍から引き出され、振動板３８上にまで延設されるリード電極４７が接続されている。
【００７７】
さらに、ヘッドケース２０には、保護基板４８の貫通孔４９に連通して配線基板５５が挿通される接続口４２が設けられている。また、配線基板５５には駆動回路５６が設けられ、接続口４２を挿通された配線基板５５は、リード電極４７と接続されている。
【００７８】
記録ヘッド１０では、インクタンク８からのインク１２が、インク連通路２２と、リザーバー１８と、共通液室４３と、個別連通路２６とを介して圧力発生室４５に導入される。さらに、駆動回路５６からの駆動信号によって圧電素子２３が駆動され、圧電素子２３と振動板３８とがノズル３１から遠ざかる方向あるいは近接する方向に変位する。この変位によって圧力発生室４５に圧力変化を生じさせ、ノズル連通路２７を介してノズル３１からインク１２がインク滴として吐出される。
【００７９】
以上述べたように、本実施形態に係るプリンター１は、ワイパー６１と、ワイパー６１によりワイピングされるワイピング面１１と、ワイピング面１１に設けられた複数のノズル３１と、ノズル３１からインク１２を吐出させる圧電素子２３と、ワイパー６１とワイピング面１１との相対移動を行わせるキャリッジユニット１２２及びクリーニングユニット１２６と、を備えている。
【００８０】
図７に示すように、ヘッドケース２０には、一端がバルブユニットのインク供給口（図示省略）に接続され、他端がリザーバー１８に接続されるインク連通路２２が設けられている。
また、ヘッドケース２０の記録媒体（媒体支持部材３）に相対向するＺ（＋）側の面には、内部にヘッド本体３０が収容可能なヘッド本体保持部２５（凹部）が設けられている。ヘッド本体保持部２５はヘッド本体３０毎に独立して設けられ、ヘッドケース２０のヘッド本体保持部２５内にヘッド本体３０が収容されている。
なお、ヘッド本体保持部２５を、複数のヘッド本体３０に亘って設けるようにしてもよい。
【００８１】
図５に示すように、記録ヘッド１０の記録媒体（媒体支持部材３）に相対向するＺ（＋）側の面には、固定板４０と、複数のノズルプレート３２とが配置されている。ワイパー６１によってワイピングされるワイピング面１１は、固定板４０と複数のノズルプレート３２とで構成される。詳しくは、ワイピング面１１は、固定板４０のＺ（＋）方向側の面（以降、表面４０Ａと称す）と、複数のノズル３１が形成されたノズルプレート３２のＺ（＋）方向側の面（以降、ノズル形成面３３と称す）とで構成される。
【００８２】
換言すれば、ワイピング面１１は、ノズルプレート３２のノズル形成面３３が配置される領域（ノズル３１が配置されている領域）と、固定板４０の表面４０Ａが配置される領域（ノズル３１が配置されていない領域）とで構成される。
なお、ノズル形成面３３が配置される領域は「第１領域」の一例であり、固定板４０の表面４０Ａが配置される領域は「第２領域」の一例である。
【００８３】
ノズル形成面３３のＺ方向の位置は、ヘッド本体保持部２５の形状によって調整することができる。本実施形態では、固定板４０の表面４０Ａとノズル形成面３３とがＺ方向に対して略同じ位置に配置され、ワイピング面１１が平坦となるように、ヘッド本体保持部２５が形成されている。
なお、固定板４０の表面４０Ａとノズル形成面３３とが、Ｚ方向に対して異なる位置に配置されていてもよい。
【００８４】
固定板４０の表面４０Ａは、辺４０Ａ１と、辺４０Ａ２と、辺４０Ａ３と、辺４０Ａ４とを有している。すなわち、辺４０Ａ１と辺４０Ａ２と辺４０Ａ３と辺４０Ａ４とで囲まれた面が、表面４０Ａである。辺４０Ａ１は表面４０ＡのＸ（−）方向側の端であり、辺４０Ａ２は表面４０ＡのＹ（−）方向側の端であり、辺４０Ａ３は表面４０ＡのＸ（＋）方向側の端であり、辺４０Ａ４は表面４０ＡのＹ（＋）方向側の端である。
【００８５】
図６では、網掛けが施された領域は固定板４０の表面４０Ａを示し、網掛けが施されていない領域はノズルプレート３２のノズル形成面３３を示している。
なお、網掛けが施された領域は、固定板４０の表面４０Ａが配置される領域であり、本願における「第２領域」に対応する。網掛けが施されていない領域は、ノズル３１が配置される領域であり、本願における「第１領域」に対応する。
【００８６】
図６に示すように、記録ヘッド１０のワイピング面１１には、固定板４０の表面４０Ａと、１０個のノズルプレート３２（ノズルプレート３２Ａ，３２Ｂ，３２Ｃ，３２Ｄ，３２Ｅ，３２Ｆ，３２Ｇ，３２Ｈ，３２Ｉ，３２Ｊ）のノズル形成面３３とが配置されている。
【００８７】
１０個のノズルプレート３２（ノズルプレート３２Ａ，３２Ｂ，３２Ｃ，３２Ｄ，３２Ｅ，３２Ｆ，３２Ｇ，３２Ｈ，３２Ｉ，３２Ｊ）は、ワイピング面１１に対して偏在して配置されている。このため、１０個のノズルプレート３２のそれぞれにおいて、辺４０Ａ１との間の距離と辺４０Ａ３との間の距離とは異なり、辺４０Ａ２との間の距離と辺４０Ａ４との間の距離とは異なる。
【００８８】
Ｙ方向に沿って、５個のノズルプレート３２Ａ，３２Ｃ，３２Ｅ，３２Ｇ，３２Ｉが順に配置され、他の５個のノズルプレート３２Ｂ，３２Ｄ，３２Ｆ，３２Ｈ，３２Ｊが順に配置されている。
Ｘ方向から見た場合、５個のノズルプレート３２Ａ，３２Ｃ，３２Ｅ，３２Ｇ，３２Ｉと、他の５個のノズルプレート３２Ｂ，３２Ｄ，３２Ｆ，３２Ｈ，３２Ｊとは、互いに重ならないように配置されている。すなわち、１０個のノズルプレート３２（ノズルプレート３２Ａ，３２Ｂ，３２Ｃ，３２Ｄ，３２Ｅ，３２Ｆ，３２Ｇ，３２Ｈ，３２Ｉ，３２Ｊ）は、千鳥に配置されている。
【００８９】
Ｙ方向から見た場合、５個のノズルプレート３２Ａ，３２Ｃ，３２Ｅ，３２Ｇ，３２Ｉに形成されたノズル３１は、互いに重なるように配置されている。他の５個のノズルプレート３２Ｂ，３２Ｄ，３２Ｆ，３２Ｈ，３２Ｊに形成されたノズル３１も互いに重なるように配置されている。
なお、Ｙ方向から見た場合、５個のノズルプレート３２Ａ，３２Ｃ，３２Ｅ，３２Ｇ，３２Ｉに形成されたノズル３１の一部と、他の５個のノズルプレート３２Ｂ，３２Ｄ，３２Ｆ，３２Ｈ，３２Ｊのノズル３１の一部とが、重なるように配置されていてもよい。
【００９０】
ノズルプレート３２には、Ｘ方向にノズル３１が複数配置されたノズル列が２列形成されている。すなわち、ノズルプレート３２Ａには、２列のノズル列３１Ａ１，３１Ａ２が形成されている。ノズルプレート３２Ｂには、２列のノズル列３１Ｂ１，３１Ｂ２が形成されている。ノズルプレート３２Ｃには、２列のノズル列３１Ｃ１，３１Ｃ２が形成されている。ノズルプレート３２Ｄには、２列のノズル列３１Ｄ１，３１Ｄ２が形成されている。ノズルプレート３２Ｅには、２列のノズル列３１Ｅ１，３１Ｅ２が形成されている。ノズルプレート３２Ｆには、２列のノズル列３１Ｆ１，３１Ｆ２が形成されている。ノズルプレート３２Ｇには、２列のノズル列３１Ｇ１，３１Ｇ２が形成されている。ノズルプレート３２Ｈには、２列のノズル列３１Ｈ１，３１Ｈ２が形成されている。ノズルプレート３２Ｉには、２列のノズル列３１Ｉ１，３１Ｉ２が形成されている。ノズルプレート３２Ｊには、２列のノズル列３１Ｊ１，３１Ｊ２が形成されている。
なお、以降の説明では、これらノズル列をまとめて、ノズル列３１０と称す場合がある。
【００９１】
本実施形態では、ノズル列３１Ａ１，３１Ａ２，３１Ｂ１，３１Ｂ２からシアン（Ｃ）のインク１２Ｃが吐出され、ノズル列３１Ｃ１，３１Ｃ２，３１Ｄ１，３１Ｄ２からマゼンタ（Ｍ）のインク１２Ｍが吐出され、ノズル列３１Ｅ１，３１Ｅ２，３１Ｆ１，３１Ｆ２からイエロー（Ｙ）のインク１２Ｙが吐出され、ノズル列３１Ｇ１，３１Ｇ２，３１Ｈ１，３１Ｈ２からレッド（Ｒ）のインク１２Ｒが吐出され、ノズル列３１Ｉ１，３１Ｉ２，３１Ｊ１，３１Ｊ２からブラック（Ｋ）のインク１２Ｋが吐出される。
【００９２】
このように、記録ヘッド１０には、合計２０列のノズル列３１０が配置され、５色のインク１２が吐出される。なお、記録ヘッド１０から吐出されるインク１２の色の数は、５色よりも少なくてもよく、５色よりも多くてもよい。例えば、合計２０列のノズル列３１０のそれぞれから別の色のインク１２が吐出される構成であってもよい。このため、本実施形態は、記録ヘッド１０は最大２０色のインク１２を吐出することができる。
【００９３】
次に、インク１２の概要を説明する。
インク１２は、色材、水、保湿剤などを含む。すなわち、インク１２は、水系溶剤を含む水性インクである。
色材には、顔料や染料などを使用することできる。色材によって、インク１２の色が決定される。
【００９４】
水は、色材を分散させる媒体であり、例えば、イオン交換水、限外ろ過水、逆浸透水、蒸留水などの純水または超純水などを使用することができる。色材の分散の妨げにならない程度であれば、水中にはイオン等が存在してもよい。紫外線照射または過酸化水素添加などにより滅菌処理された水は、カビやバクテリアの発生を抑制し、インク１２の安定性を高めることができる。
【００９５】
保湿剤は、水の蒸発（インク１２の乾燥）を抑制する役割を有している。保湿剤としては、多価アルコール類、アミノ酸誘導体、ピロリドン誘導体、および糖類などを使用することができる。
【００９６】
多価アルコール類としては、例えばエチレングリコール、ジエチレングリコール、トリエチレングリコール、ポリエチレングリコール、ポリプロピレングリコール、プロピレングリコール、ブチレングリコール、１，２−ブタンジオール、１，２−ペンタンジオール、１，２−ヘキサンジオール、１，２−ヘプタンジオール、１，２−オクタンジオールなどの炭素数が４以上８以下のアルカンジオール、１，２，６−ヘキサントリオール、チオグリコール、ヘキシレングリコール、グリセリン、トリメチロールエタン、トリメチロールプロパン、およびグリコールエーテル類が挙げられる。
【００９７】
アミノ酸誘導体としては、例えば、グリシンベタイン、アトリニン、カルニチン、γ−ブチロベタイン、トリゴネリン、β−アラニンベタイン、ホマリン、ホモセリンベタイン、アントプレウリン、バリンベタイン、リジンベタイン、オルニチンベタイン、アラニンベタイン、タウロベタイン、スタキドリン、グルタミン酸ベタイン、フェニルアラニンベタイン等のアミノ酸のＮ−トリアルキル置換体であるベタイン類等が挙げられる。
【００９８】
ピロリドン誘導体としては、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン、ポリビニルピロリドン等が挙げられる。
【００９９】
糖類としては、単糖類、オリゴ糖類および多糖類が挙げられる。詳しくは、糖類としては、例えば、グルコース、マンノース、ガラクトース、フコース、リボース、フルクトース、キシロース、アラビノース、マルトース、セロビオース、ラクトース、スクロース、トレハロース、ラフィノース、パノース、イルマルトース、スタキオース、ゲンチオビース、ゲンチアノース等が挙げられる。
本実施形態では、保湿剤としてグリセリンが使用されている。グリセリンは高い吸湿性を有している。インク１２にグリセリンを添加することで、水の蒸発が抑制され、インク１２の安定性を高めることができる。
【０１００】
さらに、グリセリンの粘度は水の粘度よりも高いので、インク１２のグリセリンの含有率（インク１２に対するグリセリンの添加量）が少なくなるとインク１２の粘度が低くなり、インク１２のグリセリンの含有率が多くなるとインク１２の粘度が高くなる。
従って、インク１２の粘度は、インク１２のグリセリンの含有率によって調整することができる。
【０１０１】
本実施形態では、インク１２Ｃ、インク１２Ｍ、インク１２Ｙ、インク１２Ｒ、インク１２Ｋの順に、インク１２のグリセリンの含有率が少なくなっている。インク１２Ｃ、インク１２Ｍ、インク１２Ｙ、インク１２Ｒ、インク１２Ｋの順に、インク１２の粘度が低くなっている。
【０１０２】
このため、Ｙ方向に配置された５個のノズルプレート３２Ａ，３２Ｃ，３２Ｅ，３２Ｇ，３２Ｉにおいて、ノズルプレート３２Ａ、ノズルプレート３２Ｃ、ノズルプレート３２Ｅ、ノズルプレート３２Ｇ、ノズルプレート３２Ｉの順に、各ノズルプレート３２から吐出されるインク１２のグリセリンの含有率が少なくなり、各ノズルプレート３２から吐出されるインク１２の粘度が低くなっている。
【０１０３】
さらに、Ｙ方向に配置された他の５個のノズルプレート３２Ｂ，３２Ｄ，３２Ｆ，３２Ｈ，３２Ｊにおいて、ノズルプレート３２Ｂ、ノズルプレート３２Ｄ、ノズルプレート３２Ｆ、ノズルプレート３２Ｈ、ノズルプレート３２Ｊの順に、各ノズルプレート３２から吐出されるインク１２のグリセリンの含有率が少なくなり、各ノズルプレート３２から吐出されるインク１２の粘度が低くなっている。
【０１０４】
「ワイピング処理」
図８は、図６に対応する図であり、ワイピング処理の状態を示す概略平面図である。図９は、図８のＢ−Ｂ線に沿った概略断面図であり、ワイピング処理の状態を示す模式図である。
上述したように、プリンター１では、記録ヘッド１０のノズル３１からインク１２をインク滴として吐出するインク滴吐出動作と、記録媒体の搬送動作とを交互に繰り返し、所望の画像を記録媒体に印刷する。
【０１０５】
ところが、ノズル３１から吐出されるインク滴の一部は、記録媒体に着弾せず、インクミストとなって浮遊する。インクミストは、固定板４０の表面４０Ａやノズルプレート３２のノズル形成面３３に付着し、ワイピング面１１を汚染する。さらに、記録ヘッド１０の周辺に浮遊する埃や毛羽は、固定板４０の表面４０Ａやノズルプレート３２のノズル形成面３３に付着し、ワイピング面１１を汚染する。
【０１０６】
インク滴吐出動作が繰り返されると、埃や毛羽などが内部に取り込まれたインクミスト（インク１２）が、汚れ６３（図９参照）となって、ワイピング面１１に蓄積する。ワイピング面１１（特に、ノズル形成面３３）に汚れ６３が蓄積すると、記録ヘッド１０のインク吐出性能の均一性が悪くなり、記録媒体に印刷される画像の品位が低下する。このため、プリンター１では、ワイピング面１１に蓄積された汚れ６３を取り除くフラッシング処理やワイピング処理が定期的に実行され、記録ヘッド１０を正常な状態に復帰させている。
【０１０７】
フラッシング処理では、記録ヘッド１０のノズル３１から性状が劣化したインク１２（増粘したインク１２、気泡が混入したインク１２など）を強制的に排出する。さらに、フラッシング処理では、性状が劣化したインク１２に加えて、性状が劣化していないインク１２も排出される。さらに、ノズル形成面３３に付着した汚れ６３は、ノズル３１から強制的に排出されるインク１２によって取り除かれる。このため、フラッシング処理が終了した後のノズル形成面３３には、性状が劣化していないインク１２が付着する。
【０１０８】
ワイピング処理は、フラッシング処理の後に実行され、ワイパー６１によってワイピング面１１をワイピングし、固定板４０の表面４０Ａに蓄積された汚れ６３や、ノズル形成面３３に付着した性状が劣化していないインク１２を取り除く。
これら、フラッシング処理やワイピング処理によって、記録ヘッド１０を正常な状態に復帰させ、記録ヘッド１０を正常に動作させ、プリンター１の印刷不良を抑制する。
【０１０９】
本実施形態に係るワイピング処理は、記録ヘッド１０をより適正な状態に復帰させる優れた構成を有しているので、図８及び図９を参照し、その詳細を説明する。
図８では、ワイピング処理の状態を分かりやすくするために、ワイピング面１１（固定板４０の表面４０Ａ、ノズルプレート３２のノズル形成面３３）と、ワイパー６１Ａ，６１Ｂとが図示され、他の構成要素の図示が省略されている。さらに、ワイピング面１１に対するワイパー６１Ａ，６１Ｂの移動方向が矢印で示されている。
【０１１０】
さらに、図８では、ノズルプレート３２Ｊにおいて、辺４０Ａ１の最も近くに配置されたノズル３１に対してノズル３１Ｊ２Ａの符号が付され、辺４０Ａ１の最も遠くに配置されたノズル３１に対してノズル３１Ｊ２Ｂの符号が付されている。ノズルプレート３２Ｉにおいて、辺４０Ａ３の最も近くに配置されたノズル３１に対してノズル３１Ｉ２Ａの符号が付され、辺４０Ａ３の最も遠くに配置されたノズル３１に対してノズル３１Ｉ２Ｂの符号が付されている。
以降の説明では、ノズルプレート３２Ｊは「第１のノズルプレート」の一例であり、ノズルプレート３２Ｉは「第２のノズルプレート」の一例である。図中で矢印で示された第１のワイパー６１Ａの移動方向（Ｘ（＋）方向）、及び図中で矢印で示された第２のワイパー６１Ｂの移動方向（Ｘ（−）方向）は、「ワイピング面に対するワイパーの移動方向」の一例である。
【０１１１】
ワイピング面１１に対する第１のワイパー６１Ａの移動方向（Ｘ（＋）方向）において、辺４０Ａ１は「移動方向の上流側の縁」及び「ノズル領域に近い側のワイピング面の縁」の一例である。辺４０Ａ３は「移動方向の下流側の縁」及び「ノズル領域に遠い側のワイピング面の縁」の一例である。さらに、ノズル３１Ｊ２Ａは「上流側に配置されたノズル」の一例であり、ノズル３１Ｊ２Ｂは「下流側に配置されたノズル」の一例である。
【０１１２】
ワイピング面１１に対する第２のワイパー６１Ｂの移動方向（Ｘ（−）方向）において、辺４０Ａ３は「移動方向の上流側の縁」及び「ノズル領域に近い側のワイピング面の縁」の一例である。辺４０Ａ１は「移動方向の下流側の縁」及び「ノズル領域に遠い側のワイピング面の縁」の一例である。さらに、ノズル３２Ｉ２Ａは「上流側に配置されたノズル」の一例であり、ノズル３１Ｉ２Ｂは「下流側に配置されたノズル」の一例である。
【０１１３】
図８に示すように、辺４０Ａ１とノズル３１Ｊ２Ａとの間の距離Ｄ１は、辺４０Ａ３とノズル３１Ｊ２Ｂとの間の距離Ｄ２よりも短くなっている。さらに、辺４０Ａ３とノズル３１Ｉ２Ａとの間の距離Ｄ３は、辺４０Ａ１とノズル３１Ｉ２Ｂとの間の距離Ｄ４よりも短くなっている。
なお、距離Ｄ１及び距離Ｄ３は、「ワイピング面の移動方向の上流側の縁と上流側に配置されたノズルとの間の距離」の一例である。距離Ｄ２及び距離Ｄ４は、「ワイピング面の移動方向の下流側の縁と下流側に配置されたノズルとの間の距離」の一例である。
【０１１４】
最初のワイピング処理では、第１のワイパー６１Ａは、ワイピング面１１に対してＸ（＋）方向に移動し、ノズルプレート３２Ｊのノズル形成面３３をワイピングする。第２のワイパー６１Ｂは、ワイピング面１１に対してＸ（−）方向に移動し、ノズルプレート３２Ｉのノズル形成面３３をワイピングする。
換言すれば、ワイピング面１１は、ノズル３１が形成された第１のノズルプレート（ノズルプレート３２Ｊ）と第２のノズルプレート（ノズルプレート３２Ｉ）とを含み、第１のワイパー６１Ａは第１のノズルプレート（ノズルプレート３２Ｊ）をワイピングし、第２のワイパー６１Ｂは第２のノズルプレート（ノズルプレート３２Ｉ）をワイピングする。
【０１１５】
また、第１のワイパー６１Ａは、最初にワイピング面１１の辺４０Ａ１に接触し、ワイピング面１１をＸ（＋）方向に移動した後、ワイピング面１１の辺４０Ａ３から離間する。第２のワイパー６１Ｂは、最初にワイピング面１１の辺４０Ａ３に接触し、ワイピング面１１をＸ（−）方向に移動した後、ワイピング面１１の辺４０Ａ１から離間する。
【０１１６】
本願における「ワイピング面の移動方向の上流側の縁」とは、ワイパー６１が最初に接触するワイピング面１１の部位に該当する。本願における「ワイピング面の移動方向の下流側の縁」とは、ワイパー６１が離間するワイピング面１１の部位に該当する。
【０１１７】
ワイピング面１１に対する第１のワイパー６１Ａの移動方向において、第１のワイパー６１Ａは、最初にワイピング面１１の辺４０Ａ１に接触するので、辺４０Ａ１が「上流側の縁」に該当する。例えば、第１のワイパー６１Ａが、表面４０Ａの辺４０Ａ１とノズルプレート３２Ｊとの間の領域に最初に接する場合、「上流側の縁」は表面４０Ａの辺４０Ａ１とノズルプレート３２Ｊとの間の領域に配置される。
ワイピング面１１に対する第１のワイパー６１Ａの移動方向において、第１のワイパー６１Ａは、ワイピング面１１の辺４０Ａ３から離間するので、辺４０Ａ３が「下流側の縁」に該当する。例えば、第１のワイパー６１Ａが、表面４０Ａの辺４０Ａ３とノズルプレート３２Ｊとの間の領域から離間する場合、「下流側の縁」は表面４０Ａの辺４０Ａ３とノズルプレート３２Ｊとの間の領域に配置される。
【０１１８】
ワイピング面１１に対する第２のワイパー６１Ｂの移動方向において、第２のワイパー６１Ｂは、最初にワイピング面１１の辺４０Ａ３に接触するので、辺４０Ａ３が「上流側の縁」に該当する。例えば、第２のワイパー６１Ｂが、表面４０Ａの辺４０Ａ３とノズルプレート３２Ｉとの間の領域に最初に接する場合、「上流側の縁」は表面４０Ａの辺４０Ａ３とノズルプレート３２Ｉとの間の領域に配置される。
ワイピング面１１に対する第２のワイパー６１Ｂの移動方向において、第２のワイパー６１Ｂは、ワイピング面１１の辺４０Ａ１から離間するので、辺４０Ａ１が「下流側の縁」に該当する。例えば、第２のワイパー６１Ｂが、表面４０Ａの辺４０Ａ１とノズルプレート３２Ｉとの間の領域から離間する場合、「下流側の縁」は表面４０Ａの辺４０Ａ１とノズルプレート３２Ｉとの間の領域に配置される。
【０１１９】
ワイピング面１１は、ノズル３１が形成された第１のノズルプレート（ノズルプレート３２Ｊ）と第２のノズルプレート（ノズルプレート３２Ｉ）とを含み、ワイパー６１は、第１のノズルプレート（ノズルプレート３２Ｊ）をワイピングする第１のワイパー６１Ａと、第２のノズルプレート（ノズルプレート３２Ｉ）をワイピングする第２のワイパー６１Ｂとを有している。
【０１２０】
最初のワイピング処理では、ワイピング面１１に対する第１のワイパー６１Ａの移動方向において、ワイピング面１１の移動方向の上流側の縁（辺４０Ａ１）と上流側に配置されたノズル３１Ｊ２Ａとの間の距離Ｄ１が、ワイピング面１１の移動方向の下流側の縁（辺４０Ａ３）と下流側に配置されたノズル３１Ｊ２Ｂとの間の距離Ｄ２よりも短くなるように、第１のワイパー６１Ａを移動させて、ワイピング面１１をワイピングする。
さらに、ワイピング面１１に対する第２のワイパー６１Ｂの移動方向において、ワイピング面１１の移動方向の上流側の縁（辺４０Ａ３）と上流側に配置されたノズル３１Ｉ２Ａとの間の距離Ｄ３が、ワイピング面１１の移動方向の下流側の縁（辺４０Ａ１）と下流側に配置されたノズル３１Ｉ２Ｂとの間の距離Ｄ４よりも短くなるように、第２のワイパー６１Ｂを移動させて、ワイピング面１１をワイピングする。
【０１２１】
換言すれば、最初のワイピング処理における記録ヘッド１０のワイピング方法では、ノズル領域（ノズルプレート３２Ｊ）に近い側のワイピング面１１の縁（辺４０Ａ１）から、ノズル領域（ノズルプレート３２Ｊ）に遠い側のワイピング面１１の縁（辺４０Ａ３）に向かう方向に、第１のワイパー６１Ａを移動させてワイピング面１１をワイピングする。
さらに、ノズル領域（ノズルプレート３２Ｉ）に近い側のワイピング面１１の縁（辺４０Ａ３）から、ノズル領域（ノズルプレート３２Ｉ）に遠い側のワイピング面１１の縁（辺４０Ａ１）に向かう方向に、第２のワイパー６１Ｂを移動させてワイピング面１１をワイピングする。
【０１２２】
次のワイピング処理では、図中の二点鎖線の矢印で示すように、第１のワイパー６１ＡをＹ（−）方向に移動させ、第１のワイパー６１Ａによってノズルプレート３２Ｈのノズル形成面３３をワイピングする。第２のワイパー６１ＢはＹ（−）方向に移動させ、第２のワイパー６１Ｂによってノズルプレート３２Ｇのノズル形成面３３をワイピングする。
【０１２３】
次のワイピング処理では、図中の二点鎖線の矢印で示すように、第１のワイパー６１ＡをＹ（−）方向に移動させ、第１のワイパー６１Ａによってノズルプレート３２Ｆのノズル形成面３３をワイピングする。第２のワイパー６１ＢをＹ（−）方向に移動させ、第２のワイパー６１Ｂによってノズルプレート３２Ｅのノズル形成面３３をワイピングする。
【０１２４】
次のワイピング処理では、図中の二点鎖線の矢印で示すように、第１のワイパー６１ＡをＹ（−）方向に移動させ、第１のワイパー６１Ａによってノズルプレート３２Ｄのノズル形成面３３をワイピングする。第２のワイパー６１ＢをＹ（−）方向に移動させ、第２のワイパー６１Ｂによってノズルプレート３２Ｃのノズル形成面３３をワイピングする。
【０１２５】
最後のワイピング処理では、図中の二点鎖線の矢印で示すように、第１のワイパー６１ＡをＹ（−）方向に移動させ、第１のワイパー６１Ａによってノズルプレート３２Ｂのノズル形成面３３をワイピングする。第２のワイパー６１ＢをＹ（−）方向に移動させ、第２のワイパー６１Ｂによってノズルプレート３２Ａのノズル形成面３３をワイピングする。
次のワイピング処理及び最後のワイピング処理におけるワイピング方法は、最初のワイピング処理におけるワイピング方法と同じである。
【０１２６】
従って、本実施形態に係る記録ヘッド１０のワイピング方法では、ワイピング面１１は、ノズル３１が形成されたノズルプレート３２を複数有し、ノズルプレート３２を千鳥に配置し、ノズルプレート３２のそれぞれが、ワイピング面１１に対するワイパー６１の移動方向において、ワイピング面１１の下流側の縁よりも、ワイピング面１１の上流側の縁に近い位置に配置されるようにし、ワイピング面１１の上流側の縁からワイピング面１１の下流側の縁に向かう方向にワイパー６１を移動させて、ワイピング面１１をワイピングする。
【０１２７】
なお、上述した本実施形態に係るワイピング方法を、水系溶剤を含む水性インク（インク１２）に対して適用させることに限定されず、他のインク、例えば水系溶剤を含まず有機溶剤を含む非水性インクに対して適用させることができる。
【０１２８】
上述したように、各ノズルプレート３２から吐出されるインク１２のグリセリンの含有率は、ノズルプレート３２Ｂ、ノズルプレート３２Ｄ、ノズルプレート３２Ｆ、ノズルプレート３２Ｈ、ノズルプレート３２Ｊの順に少なくなっているので、第１のワイパー６１Ａは、グリセリンの含有率が少ないインク１２を吐出するノズル３１をワイピングした後に、グリセリンの含有率が多いインク１２を吐出するノズル３１をワイピングする。
【０１２９】
さらに、各ノズルプレート３２から吐出されるインク１２のグリセリンの含有率は、ノズルプレート３２Ａ、ノズルプレート３２Ｃ、ノズルプレート３２Ｅ、ノズルプレート３２Ｇ、ノズルプレート３２Ｉの順に少なくなっているので、第２のワイパー６１Ｂは、グリセリンの含有率が少ないインク１２を吐出するノズル３１をワイピングした後に、グリセリンの含有率が多いインク１２を吐出するノズル３１をワイピングする。
【０１３０】
このように、本実施形態は、ワイパー６１は、インク１２のうち保湿剤（グリセリン）の含有率が少ないインク１２を吐出するノズル３１をワイピングした後に、インク１２のうち保湿剤（グリセリン）の含有率が多いインク１２を吐出するノズル３１をワイピングする構成を有している。
【０１３１】
ワイピング面１１に対する第１のワイパー６１Ａの移動の速さは、ノズルプレート３２Ｊと、ノズルプレート３２Ｈと、ノズルプレート３２Ｆと、ノズルプレート３２Ｄと、ノズルプレート３２Ｂと、固定板４０の表面４０Ａとの順に遅くなっている。すなわち、ワイピング面１１に対する第１のワイパー６１Ａの移動の速さは、固定板４０の表面４０Ａの側で遅く、ノズルプレート３２の側で速くなっている。
さらに、ワイピング面１１に対する第２のワイパー６１Ｂの移動の速さは、ノズルプレート３２Ｉと、ノズルプレート３２Ｇと、ノズルプレート３２Ｅと、ノズルプレート３２Ｃと、ノズルプレート３２Ａ、固定板４０の表面４０Ａとの順に遅くなっている。すなわち、ワイピング面１１に対する第２のワイパー６１Ｂの移動の速さは、固定板４０の表面４０Ａの側で遅く、ノズルプレート３２の側で速くなっている。
【０１３２】
このように、本実施形態は、ワイピング面１１に対するワイパー６１の移動の速さは、ノズル３１が配置される領域よりも固定板４０の表面４０Ａが配置される領域で遅い構成を有している。
【０１３３】
各ノズルプレート３２から吐出されるインク１２の粘度は、ノズルプレート３２Ｂ、ノズルプレート３２Ｄ、ノズルプレート３２Ｆ、ノズルプレート３２Ｈ、ノズルプレート３２Ｊの順に低くなっているので、ワイピング面１１に対する第１のワイパー６１Ａの移動の速さは、低粘度のインク１２を吐出するノズルプレート３２の側で速く、高粘度のインク１２を吐出するノズルプレート３２の側で遅くなっている。
【０１３４】
さらに、各ノズルプレート３２から吐出されるインク１２の粘度は、ノズルプレート３２Ａ、ノズルプレート３２Ｃ、ノズルプレート３２Ｅ、ノズルプレート３２Ｇ、ノズルプレート３２Ｉの順に低くなっているので、ワイピング面１１に対する第２のワイパー６１Ｂの移動の速さは、低粘度のインク１２を吐出するノズルプレート３２の側で速く、高粘度のインク１２を吐出するノズルプレート３２の側で遅くなっている。
【０１３５】
このように、本実施形態は、ワイピング面１１に対するワイパー６１の移動の速さは、インク１２のうち低粘度のインク１２を吐出するノズル３１が形成されたノズルプレート３２よりも、インク１２のうち高粘度のインク１２を吐出するノズル３１が形成されたノズルプレート３２の方が遅い構成を有している。
【０１３６】
さらに、第１のワイパー６１ＡのＹ方向の長さＷＡ及び第２のワイパー６１ＢのＹ方向の長さＷＢは、ワイピング面１１のＹ方向の長さＷよりも短い。
なお、第１のワイパー６１ＡのＹ方向の長さＷＡ及び第２のワイパー６１ＢのＹ方向の長さＷＢは、「ワイパーの移動方向と交差する方向の長さ」の一例である。ワイピング面１１のＹ方向の長さＷは、「ワイピング面の移動方向と交差する方向の長さ」の一例である。
【０１３７】
第１のワイパー６１ＡのＹ方向の長さＷＡ及び第２のワイパー６１ＢのＹ方向の長さＷＢは、ワイピング面１１のＹ方向の長さＷよりも短いので、第１のワイパー６１Ａ及び第２のワイパー６１Ｂは、ワイピング面１１の上流側の縁からワイピング面１１の下流側の縁までの移動を複数回行って、ワイピング面１１の全体をワイピングする。
詳しくは、第１のワイパー６１Ａは、Ｘ（＋）方向に５回移動して、ワイピング面１１をワイピングする。第２のワイパー６１Ｂは、Ｘ（−）方向に５回移動して、ワイピング面１１をワイピングする。
【０１３８】
例えば、第１のワイパー６１ＡのＹ方向の長さＷＡをワイピング面１１のＹ方向の長さＷよりも長くすると、第１のワイパー６１Ａは、１回のワイピング処理によって、ワイピング面１１の全体をワイピングすることが可能である。
適正なワイピング処理条件は、インク１２のグリセリン含有率（粘度）やノズル３１の有無などによって異なるので、ワイピング面１１には、適正なワイピング処理が異なる領域が存在する。このため、適正なワイピング処理が異なる領域のそれぞれで適正にワイピン処理がなされるように、ワイピング面１１を複数回に分けてワイピングすることが好ましい。
【０１３９】
図９は、図８のＢ−Ｂ線に沿った概略断面図であり、第１のワイパーを用いた最初のワイピング処理の状態を示す模式図である。図９では、ワイピング処理の状態を分かりやすくするために、固定板４０とノズルプレート３２Ｊとの間の隙間の図示が省略されている。
【０１４０】
図９に示すように、固定板４０の表面４０Ａには、汚れ６３が付着している。汚れ６３は、例えば、内部に埃や毛羽などが取り込まれ増粘したインク１２（溶剤成分が蒸発したインク１２）である。
固定板４０の表面４０Ａに対する汚れ６３の付着数は、固定板４０の表面４０Ａの面積に比例する。辺４０Ａ３とノズルプレート３２Ｊとの間に配置される表面４０Ａの面積は、辺４０Ａ１とノズルプレート３２Ｊとの間に配置される表面４０Ａの面積よりも広いので、汚れ６３の付着数は、辺４０Ａ３とノズルプレート３２Ｊとの間に配置される表面４０Ａ側で多く、辺４０Ａ１とノズルプレート３２Ｊとの間に配置される表面４０Ａ側で少ない。
【０１４１】
上述したように、ノズルプレート３２Ｊのノズル形成面３３では、汚れ６３はフラッシング処理によって取り除かれ、性状が劣化していないインク１２（増粘していないインク１２）がノズルプレート３２Ｊのノズル形成面３３に付着している。
【０１４２】
最初のワイピング処理では、辺４０Ａ１から辺４０Ａ３に向かう方向（Ｘ（＋）方向）に、第１のワイパー６１Ａを移動させて、固定板４０の表面４０Ａに付着した汚れ６３や、ノズルプレート３２Ｊのノズル形成面３３に付着した増粘していないインク１２を取り除く。換言すれば、最初のワイピング処理では、固定板４０の表面４０Ａに付着した汚れ６３が少ない側から、固定板４０の表面４０Ａに付着した汚れ６３が多い側に、第１のワイパー６１Ａを移動させて、固定板４０の表面４０Ａに付着した汚れ６３や、ノズルプレート３２Ｊのノズル形成面３３に付着した増粘していないインク１２を取り除く。
【０１４３】
仮に、図中の二点鎖線で示すように、固定板４０の表面４０Ａに付着した汚れ６３が多い側から、固定板４０の表面４０Ａに付着した汚れ６３が少ない側に向かう方向に、第１のワイパー６１Ａを移動させると、汚れ６３は第１のワイパー６１Ａと一緒に移動するので、汚れ６３がノズルプレート３２Ｊのノズル３１の中に擦り込まれ、ノズル３１からインク１２が正常に吐出されないという不具合が生じるおそれがある。
【０１４４】
一方、固定板４０の表面４０Ａに付着した汚れ６３が少ない側から、固定板４０の表面４０Ａに付着した汚れ６３が多い側に向かう方向に、第１のワイパー６１Ａを移動させると、第１のワイパー６１Ａと一緒に移動する汚れ６３が少なくなるので、ノズルプレート３２Ｊのノズル３１の中に汚れ６３が擦り込まれにくくなり、ノズル３１からインク１２が正常に吐出されないという不具合が生じにくくなる。
従って、ノズル領域（ノズルプレート３２Ｊ）に近い側のワイピング面１１の縁（辺４０Ａ１）から、ノズル領域（ノズルプレート３２Ｊ）に遠い側のワイピング面１１の縁（辺４０Ａ３）に向かう方向に、第１のワイパー６１Ａを移動させ、第１のワイパー６１Ａによってワイピング面１１に付着した汚れ６３を取り除くことが好ましい。
【０１４５】
換言すれば、ワイピング面１１に対する第１のワイパー６１Ａの移動方向において、ワイピング面１１の移動方向の上流側の縁（辺４０Ａ１）と上流側に配置されたノズル３１Ｊ２Ａとの間の距離Ｄ１が、ワイピング面１１の移動方向の下流側の縁（辺４０Ａ３）と下流側に配置されたノズル３１Ｊ２Ｂとの間の距離Ｄ２よりも短くなるように、第１のワイパー６１Ａをワイピング面１１に対して移動させ、第１のワイパー６１Ａによってワイピング面１１に付着した汚れ６３を取り除くことが好ましい。
【０１４６】
さらに、固定板４０の表面４０Ａに付着した汚れ６３（増粘したインク１２）は、ノズルプレート３２Ｊのノズル形成面３３に付着した増粘していないインク１２と比べて、強く付着している。ノズルプレート３２Ｊのノズル形成面３３に付着した増粘していないインク１２は、固定板４０の表面４０Ａに付着した汚れ６３（増粘したインク１２）と比べて弱く付着している。
このため、汚れ６３を強くワイピングし、ワイパー６１の汚れを取り除く能力を強くして、汚れ６３を固定板４０の表面４０Ａから取り除く必要がある。一方、増粘していないインク１２は、弱くワイピングしても（ワイパー６１の汚れを取り除く能力を弱くしても）、ノズルプレート３２Ｊのノズル形成面３３から取り除くことができる。
【０１４７】
上述したように、ワイピング処理では、ワイパー６１がワイピング面１１に対して一定のワイピン力を作用させつつ、ワイパー６１をワイピング面１１に対して移動させている。強くワイピングするとは、ワイピング力を長時間作用せることであり、ワイピング力が作用する時間が長くなると、ワイパー６１が汚れ（汚れ６３やインク１２）を取り除く能力が強くなる。弱くワイピングするとは、ワイピング力を短時間作用させることであり、ワイピング力が作用する時間が短くなると、ワイパー６１が汚れ（汚れ６３やインク１２）を取り除く能力が弱くなる。
【０１４８】
このため、本実施形態では、ワイピング面１１に対する第１のワイパー６１Ａの移動の速さを、ノズルプレート３２の側と比べて、固定板４０の表面４０Ａの側で遅くし、ワイピング力を長時間作用させて、固定板４０の表面４０Ａに強く付着した汚れ６３を取り除いている。
従って、ワイピング面１１に対する第１のワイパー６１Ａの移動の速さは、ノズルプレート３２の側と比べて、固定板４０の表面４０Ａの側で遅くし、固定板４０の表面４０Ａに付着した汚れ６３に対してワイピング力を長時間作用させることが好ましい。換言すれば、ワイピング面１１に対する第１のワイパー６１Ａの移動の速さは、ノズル３１が配置された領域（ノズルプレート３２のノズル形成面３３）よりも、ノズル３１が配置されていない領域（固定板４０の表面４０Ａ）の方が遅い方が好ましい。
【０１４９】
さらに、本実施形態では、ワイピング面１１に対する第１のワイパー６１Ａの移動の速さを、固定板４０の表面４０Ａの側と比べて、ノズルプレート３２の側で速くし、ワイピング力を短時間作用させて、ノズルプレート３２Ｊのノズル形成面３３に弱く付着した増粘していないインク１２を取り除いている。その結果、ノズルプレート３２Ｊのノズル形成面３３のワイピング時間が短くなり、ワイピング処理の効率化を図ることができる。
【０１５０】
ノズルプレート３２から吐出されるインク１２の粘度は、ノズルプレート３２Ｂ、ノズルプレート３２Ｄ、ノズルプレート３２Ｆ、ノズルプレート３２Ｈ、ノズルプレート３２Ｊの順に低くなっているので、ノズルプレート３２のノズル形成面３３に付着した増粘していないインク１２の粘度も、ノズルプレート３２Ｂ、ノズルプレート３２Ｄ、ノズルプレート３２Ｆ、ノズルプレート３２Ｈ、ノズルプレート３２Ｊの順に低くなっている。
【０１５１】
粘度が低いインク１２は、粘度が高いインク１２と比べて流動しやすいので、弱くワイピングしてもノズルプレート３２のノズル形成面３３から取り除くことができる。粘度が高いインク１２は、粘度が低いインク１２と比べて流動しにくいので、強くワイピングしてノズルプレート３２のノズル形成面３３から取り除く必要がある。
【０１５２】
このため、粘度が高いインク１２に対しては、粘度が低いインク１２と比べてワイピング力を長時間作用させ、より強くワイピングすることが好ましい。従って、第１のワイパー６１Ａの移動の速さは、ノズルプレート３２Ｊ、ノズルプレート３２Ｈ、ノズルプレート３２Ｆ、ノズルプレート３２Ｄ、ノズルプレート３２Ｂの順に遅いことが好ましい。
換言すれば、ワイピング面１１に対する第１のワイパー６１Ａの移動の速さは、インク１２のうち低粘度のインク１２を吐出するノズル３１が形成されたノズルプレート３２よりも、インク１２のうち高粘度のインク１２を吐出するノズル３１が形成されたノズルプレート３２の方が遅いことが好ましい。
【０１５３】
また、低粘度のインク１２を吐出するノズル３１が形成されたノズルプレート３２の側で、ワイピング面１１に対する第１のワイパー６１Ａの移動の速さを速くすることによって、ワイピング時間を短くなり、ワイピング処理の効率化を図ることができる。
【０１５４】
以上、第１のワイパー６１Ａを用いた最初のワイピング処理を例にして、好ましいワイピング処理と、その理由を説明した。上述した好ましいワイピング処理やその理由は、第２のワイパー６１Ｂを用いた最初のワイピング処理、次のワイピング処理、及び最後のワイピング処理においても同様であるので、説明を省略する。
【０１５５】
（実施形態２）
図１０は、実施形態２に係るプリンターの状態を示す概略平面図である。図１１は、図８に対応する図であり、ワイピング処理の状態を示す概略平面図である。
本実施形態に係るプリンター１Ａではワイピング部６０が１カ所設けられている。実施形態１に係るプリンター１ではワイピング部６０が２カ所設けられている。この点が本実施形態と実施形態１との主な相違点である。
以下、図１０及び図１１を参照し、本実施形態に係るプリンター１Ａを、実施形態１に係るプリンター１との相違点を中心に説明する。また、実施形態１と同一の構成部位については、同一の符号を附し、重複する説明を省略する。
【０１５６】
図１０に示すように、本実施形態に係るプリンター１Ａは、ホームポジション領域ＨＰのＸ（＋）方向側にワイピング部６０が設けられている。ワイピング部６０はワイパー６１を有している。
【０１５７】
記録ヘッド１０のワイピング面１１は、キャリッジユニット１２２によって所定の位置に移動可能となっている。ワイパー６１は、クリーニングユニット１２６によって所定の位置に移動可能となっている。ワイパー６１は、クリーニングユニット１２６によって、任意の方向に移動可能であり、回転可能であり、記録ヘッド１０のワイピング面１１に付着した汚れを取り除くために、一定のワイピング力を作用させつつ記録ヘッド１０のワイピング面１１に対して移動する。
【０１５８】
図１１に示すように、ワイパー６１は、図中の二点鎖線で示された方向に沿って移動し、ノズルプレート３２Ｊのノズル形成面３３と、ノズルプレート３２Ｉのノズル形成面３３と、ノズルプレート３２Ｈのノズル形成面３３と、ノズルプレート３２Ｇのノズル形成面３３と、ノズルプレート３２Ｆのノズル形成面３３と、ノズルプレート３２Ｅのノズル形成面３３と、ノズルプレート３２Ｄのノズル形成面３３と、ノズルプレート３２Ｃのノズル形成面３３と、ノズルプレート３２Ｂのノズル形成面３３と、ノズルプレート３２Ａのノズル形成面３３と、を順にワイピングする。
【０１５９】
詳しくは、ワイパー６１は、ノズルプレート３２Ｊのノズル形成面３３をワイピングした後反転し、ノズルプレート３２Ｉのノズル形成面３３をワイピングし、その後反転する。続いて、ワイパー６１は、ノズルプレート３２Ｈのノズル形成面３３をワイピングした後反転し、ノズルプレート３２Ｇのノズル形成面３３をワイピングし、その後反転する。続いて、ワイパー６１は、ノズルプレート３２Ｆのノズル形成面３３をワイピングした後反転し、ノズルプレート３２Ｅのノズル形成面３３をワイピングし、その後反転する。続いて、ワイパー６１は、ノズルプレート３２Ｄのノズル形成面３３をワイピングした後反転し、ノズルプレート３２Ｃのノズル形成面３３をワイピングし、その後反転する。続いて、ワイパー６１は、ノズルプレート３２Ｂのノズル形成面３３をワイピングした後反転し、ノズルプレート３２Ａのノズル形成面３３をワイピングする。
【０１６０】
本実施形態では、ワイピング面１１は、ノズル３１が形成された第１のノズルプレート（ノズルプレート３２Ｊ）と第２のノズルプレート（ノズルプレート３２Ｉ）とを含み、ワイパー６１は、第１のノズルプレート（ノズルプレート３２Ｊ）をワイピングした後に、第２のノズルプレート（ノズルプレート３２Ｉ）をワイピングする。
一方、実施形態１では、ワイピング面１１は、ノズル３１が形成された第１のノズルプレート（ノズルプレート３２Ｊ）と第２のノズルプレート（ノズルプレート３２Ｉ）とを含み、第１のワイパー６１Ａは第１のノズルプレート（ノズルプレート３２Ｊ）をワイピングし、第２のワイパー６１Ｂは第２のノズルプレート（ノズルプレート３２Ｉ）をワイピングする。
【０１６１】
このように、本実施形態では一つのワイパー６１（一つのワイピング部６０）によってワイピング処理が実行され、実施形態１では二つのワイパー６１Ａ，６１Ｂ（二つのワイピング部６０）によってワイピング処理が実行されている。従って、本実施形態では、実施形態１と比べて、ワイピングする部分の機構が簡素化され、ワイピングする部分の低コスト化やコンパクト化を図ることができる。
【０１６２】
また、本実施形態は、実施形態１と同様のワイピング方法でワイピング処理が実行される。すなわち、ノズル領域（ノズルプレート３２）に近い側のワイピング面１１の縁から、ノズル領域（ノズルプレート３２）に遠い側のワイピング面１１の縁に向かう方向に、ワイパー６１を移動させてワイピング面１１をワイピングする。
【０１６３】
換言すれば、ワイピング面１１に対するワイパー６１の移動方向において、ワイピング面１１の移動方向の上流側の縁と上流側に配置されたノズル３１との間の距離が、ワイピング面１１の移動方向の下流側の縁と下流側に配置されたノズル３１との間の距離よりも短くなるように、ワイパー６１をワイピング面１１に対して移動させてワイピング面１１をワイピングする。
【０１６４】
さらに、ワイパー６１は、グリセリンの含有率が少ないインク１２を吐出するノズル３１をワイピングした後に、グリセリンの含有率が多いインク１２を吐出するノズル３１をワイピングする。
【０１６５】
さらに、ワイピング面１１に対するワイパー６１の移動の速さは、ノズル３１が配置された領域（ノズルプレート３２のノズル形成面３３）よりも、ノズル３１が配置されていない領域（固定板４０の表面４０Ａ）の方が遅くなるようにワイピング処理が実行される。
【０１６６】
さらに、ワイピング面１１に対するワイパー６１の移動の速さは、インク１２のうち低粘度のインク１２を吐出するノズル３１が形成されたノズルプレート３２よりも、インク１２のうち高粘度のインク１２を吐出するノズル３１が形成されたノズルプレート３２の方が遅くなるようにワイピング処理が実行される。
【０１６７】
（実施形態３）
図１２は、図８に対応する図であり、実施形態３に係るプリンターのワイピング処理の状態を示す概略平面図である。図１３は、図１２のＣ−Ｃ線に沿った概略断面図である。
本実施形態に係るプリンターでは、ワイピング面１１に対するワイパー６１の移動方向（ワイピング方向）が実施形態１に係るプリンター１と異なる。すなわち、本実施形態ではワイパーがＹ方向に沿って移動し、実施形態１ではワイパーがＸ方向に沿って移動する、この点が本実施形態と実施形態１との主な相違点である。
以下、図１２及び図１３を参照し、本実施形態に係るプリンターのワイピング処理を、実施形態１に係るプリンター１との相違点を中心に説明する。また、実施形態１と同一の構成部位については、同一の符号を附し、重複する説明を省略する。
【０１６８】
図１２に示すように、ワイピング面１１には、ノズルプレート３２Ｊとノズルプレート３２Ｈとノズルプレート３２Ｆとノズルプレート３２Ｄとノズルプレート３２ＢとがＹ（−）方向に沿って順に配置された第１ノズルプレート群３５と、ノズルプレート３２Ａとノズルプレート３２Ｃとノズルプレート３２Ｅとノズルプレート３２Ｇとノズルプレート３２ＩとがＹ（＋）方向に沿って順に配置された第２ノズルプレート群３６とが配置されている。
さらに、第１のワイパー６１Ａ１は、Ｙ（−）方向に移動し、第１ノズルプレート群３５をワイピングする。第２のワイパー６１Ｂ１は、Ｙ（＋）方向に移動し、第２ノズルプレート群３６をワイピングする。
【０１６９】
ワイピング面１１では、第１ノズルプレート群３５が、辺４０Ａ４とノズルプレート３２Ｊとの間の距離Ｄ８が、辺４０Ａ２とノズルプレート３２Ｂとの間の距離Ｄ９よりも短くなるように配置されている。さらに、ワイピング面１１では、第２ノズルプレート群３６が、辺４０Ａ２とノズルプレート３２Ａとの間の距離Ｄ６が、辺４０Ａ４とノズルプレート３２Ｉとの間の距離Ｄ７よりも短くなるように配置されている。
【０１７０】
なお、ワイピング面１１に対する第１のワイパー６１Ａ１の移動方向（Ｙ（−）方向）において、ノズルプレート３２Ｊは「第１のノズルプレート」の一例であり、ノズルプレート３２Ｈ，３２Ｆ，３２Ｄ，３２Ｂは「第２のノズルプレート」の一例である。さらに、辺４０Ａ４は「移動方向の上流側の縁」の一例である。辺４０Ａ２は「移動方向の下流側の縁」の一例である。
【０１７１】
さらに、ワイピング面１１に対する第２のワイパー６１Ｂ１の移動方向（Ｙ（＋）方向）において、ノズルプレート３２Ａは「第１のノズルプレート」の一例であり、ノズルプレート３２Ｃ，３２Ｅ，３２Ｇ，３２Ｉは「第２のノズルプレート」の一例である。さらに、辺４０Ａ２は「移動方向の上流側の縁」の一例である。辺４０Ａ４は「移動方向の下流側の縁」の一例である。
【０１７２】
本実施形態は、ワイピング面１１は、ノズル３１が形成された第１のノズルプレート（ノズルプレート３２Ｊ）と第２のノズルプレート（ノズルプレート３２Ｈ，３２Ｆ，３２Ｄ，３２Ｂ）とが、ワイピング面１１に対する第１のワイパー６１Ａ１の移動方向（Ｙ（−）方向）に配置された第１ノズルプレート群３５を有し、第１ノズルプレート群３５は、移動方向（Ｙ（−）方向）において、ワイピング面１１の下流側の縁（辺４０Ａ２）よりも上流側の縁（辺４０Ａ４）に近い位置に配置され、第１のワイパー６１Ａ１は、移動方向（Ｙ（−）方向）に沿って第１ノズルプレート群３５をワイピングする構成を有している。
【０１７３】
さらに、本実施形態は、ワイピング面１１は、ノズル３１が形成された第１のノズルプレート（ノズルプレート３２Ａ）と第２のノズルプレート（ノズルプレート３２Ｃ，３２Ｅ，３２Ｇ，３２Ｉ）とが、ワイピング面１１に対する第２のワイパー６１Ｂ１の移動方向（Ｙ（＋）方向）に配置された第２ノズルプレート群３６を有し、第２ノズルプレート群３６は、移動方向（Ｙ（＋）方向）において、ワイピング面１１の下流側の縁（辺４０Ａ４）よりも上流側の縁（辺４０Ａ２）に近い位置に配置され、第２のワイパー６１Ｂ１は、移動方向（Ｙ（＋）方向）に沿って第２ノズルプレート群３６をワイピングする構成を有している。
【０１７４】
本実施形態では、ワイパー６１Ａ１，６１Ｂ１の幅（ワイパー６１の移動方向と交差する方向の寸法）は、実施形態１のワイパー６１Ａ，６１Ｂの幅（ワイパー６１の移動方向と交差する方向の寸法）よりも広くなっている。この点も本実施形態と実施形態１との相違点である。
【０１７５】
第１のワイパー６１Ａ１は、ワイピング面１１に対してＹ（−）方向に移動し、ノズルプレート３２Ｊと、ノズルプレート３２Ｈと、ノズルプレート３２Ｆと、ノズルプレート３２Ｄと、ノズルプレート３２Ｂとを順にワイピングする。すなわち、第１のワイパー６１Ａ１は、ワイピング面１１に対してＹ（−）方向に１回移動し、ワイピング面１１をワイピングする。
一方、実施形態１の第１のワイパー６１Ａは、Ｘ（＋）方向に５回移動し、ワイピング面１１をワイピングする
【０１７６】
第２のワイパー６１Ｂ１は、ワイピング面１１に対してＹ（＋）方向に移動し、ノズルプレート３２Ａと、ノズルプレート３２Ｃと、ノズルプレート３２Ｅと、ノズルプレート３２Ｇと、ノズルプレート３２Ｉとを順にワイピングする。すなわち、第２のワイパー６１Ｂ１は、ワイピング面１１に対してＹ（＋）方向に１回移動し、ワイピング面１１をワイピングする。
一方、実施形態１の第２のワイパー６１Ｂは、Ｘ（−）方向に５回移動し、ワイピング面１１をワイピングする。
【０１７７】
従って、本実施形態は、実施形態１と比べてワイパー６１の移動回数が少なくなるので、効率的にワイピング面１１をワイピングすることができる。
【０１７８】
ノズルプレート３２Ａ，３２Ｂはシアン（Ｃ）のインク１２Ｃを吐出し、ノズルプレート３２Ｃ，３２Ｄはマゼンタ（Ｍ）のインク１２Ｍを吐出し、ノズルプレート３２Ｅ，３２Ｆはイエロー（Ｙ）のインク１２Ｙを吐出し、ノズルプレート３２Ｇ，３２Ｈはレッド（Ｒ）のインク１２Ｒを吐出し、ノズルプレート３２Ｉ，３２Ｊはブラック（Ｋ）のインク１２Ｋを吐出する。この点は、本実施形態と実施形態１と同じである。
【０１７９】
第１ノズルプレート群３５で吐出されるインク１２のグリセリンの含有率は、シアン（Ｃ）のインク１２Ｃ、マゼンタ（Ｍ）のインク１２Ｍ、イエロー（Ｙ）のインク１２Ｙ、レッド（Ｒ）のインク１２Ｒ、ブラック（Ｋ）のインク１２Ｋの順に少なくなっている。
従って、ノズルプレート３２から吐出されるインク１２のグリセリンの含有率は、ノズルプレート３２Ｂ、ノズルプレート３２Ｄ、ノズルプレート３２Ｆ、ノズルプレート３２Ｈ、ノズルプレート３２Ｊの順に少なくなっている。この点は、本実施形態と実施形態１と同じである。
【０１８０】
第２ノズルプレート群３６で吐出されるインク１２のグリセリンの含有率は、ブラック（Ｋ）のインク１２Ｋ、レッド（Ｒ）のインク１２Ｒ、イエロー（Ｙ）のインク１２Ｙ、マゼンタ（Ｍ）のインク１２Ｍ、シアン（Ｃ）のインク１２Ｃの順に少なくなっている。
従って、ノズルプレート３２から吐出されるインク１２のグリセリンの含有率は、ノズルプレート３２Ｉ、ノズルプレート３２Ｇ、ノズルプレート３２Ｅ、ノズルプレート３２Ｃ、ノズルプレート３２Ａの順に少なくなっている。この点は、本実施形態と実施形態１との相違点である。
【０１８１】
このように、同じ色のインク１２であっても、インク１２のグリセリンの含有率は、第１ノズルプレート群３５と第２ノズルプレート群３６とで異なる。この点は、本実施形態と実施形態１との相違点である。
【０１８２】
第１ノズルプレート群３５では、第１のワイパー６１Ａ１は、Ｙ（−）方向に移動し、ノズルプレート３２Ｊとノズルプレート３２Ｈとノズルプレート３２Ｆとノズルプレート３２Ｄとノズルプレート３２Ｂとを順にワイピングする。
【０１８３】
すなわち、第１のワイパー６１Ａ１は、グリセリンの含有率が最も少ないインク１２を吐出するノズルプレート３２Ｊから、グリセリンの含有率が最も多いインク１２を吐出するノズルプレート３２Ｂに向けて移動し、ノズルプレート３２Ｊとノズルプレート３２Ｈとノズルプレート３２Ｆとノズルプレート３２Ｄとノズルプレート３２Ｂとを順にワイピングする。
換言すれば、第１のワイパー６１Ａ１は、インク１２のうちグリセリンの含有率が少ないインク１２を吐出するノズル３１をワイピングした後に、インク１２のうちグリセリンの含有率が多いインク１２を吐出するノズル３１をワイピングする。
【０１８４】
第２ノズルプレート群３６では、第２のワイパー６１Ｂ１は、Ｙ（＋）方向に移動し、ノズルプレート３２Ａとノズルプレート３２Ｃとノズルプレート３２Ｅとノズルプレート３２Ｇとノズルプレート３２Ｉとを順にワイピングする。
【０１８５】
すなわち、第２のワイパー６１Ｂ１は、グリセリンの含有率が最も少ないインク１２を吐出するノズルプレート３２Ａから、グリセリンの含有率が最も多いインク１２を吐出するノズルプレート３２Ｉに向けて移動し、ノズルプレート３２Ａとノズルプレート３２Ｃとノズルプレート３２Ｅとノズルプレート３２Ｇとノズルプレート３２Ｉとを順にワイピングする。
換言すれば、第２のワイパー６１Ｂ１は、インク１２のうちグリセリンの含有率が少ないインク１２を吐出するノズル３１をワイピングした後に、インク１２のうちグリセリンの含有率が多いインク１２を吐出するノズル３１をワイピングする。
【０１８６】
次に、図１３を参照して、インク１２のうちグリセリンの含有率が少ないインク１２を吐出するノズル３１をワイピングした後に、インク１２のうちグリセリンの含有率が多いインク１２を吐出するノズル３１をワイピングする理由を、第２のワイパー６１Ｂ１が第２ノズルプレート群３６をワイピングする場合を一例として説明する。
以降の説明では、ノズルプレート３２Ａにおけるノズル列３１Ａ１，３１Ａ２のノズル３１をノズル３１Ａと称し、ノズルプレート３２Ｃにおけるノズル列３１Ｃ１，３１Ｃ２のノズル３１をノズル３１Ｃと称し、ノズルプレート３２Ｅにおけるノズル列３１Ｅ１，３１Ｅ２のノズル３１をノズル３１Ｅと称し、ノズルプレート３２Ｇにおけるノズル列３１Ｇ１，３１Ｇ２のノズル３１をノズル３１Ｇと称し、ノズルプレート３２Ｉにおけるノズル列３１Ｉ１，３１Ｉ２のノズル３１をノズル３１Ｉと称する。
【０１８７】
上述したように、ワイピング処理の前段階でフラッシング処理が実行されるので、ワイピング処理の前段階では、ノズルプレート３２Ａのノズル形成面３３にインク１２Ｃが付着し、ノズルプレート３２Ｃのノズル形成面３３にインク１２Ｍが付着し、ノズルプレート３２Ｅのノズル形成面３３にインク１２Ｙが付着し、ノズルプレート３２Ｇのノズル形成面３３にインク１２Ｒが付着し、ノズルプレート３２Ｉのノズル形成面３３にインク１２Ｋが付着している。
【０１８８】
このため、ノズル形成面３３にインク１２が付着した状態でワイピング処理が実行される。ワイピング処理によって、ノズル形成面３３に付着したインク１２の大部分は第２のワイパー６１Ｂ１によって取り除かれ、ノズル形成面３３に付着したインク１２の残留物の一部は第２のワイパー６１Ｂ１の移動方向（Ｙ（＋）方向）に沿って移動し、第２のワイパー６１Ｂ１の移動方向（Ｙ（＋）方向）の下流側の領域に付着する。
換言すれば、第２のワイパー６１Ｂ１の拭き残しによって、拭き残されたインク１２が、第２のワイパー６１Ｂ１の移動方向（Ｙ（＋）方向）の下流側の領域に付着する。
【０１８９】
このため、図１３に示すように、ノズルプレート３２Ａのノズル形成面３３に付着したインク１２Ｃをワイピングすると、拭き残されたインク１２Ｃはインク残留物１２Ｃ１として、ノズル３１Ａとノズル３１Ｃとの間の領域に付着する。ノズルプレート３２Ｃのノズル形成面３３に付着したインク１２Ｍをワイピングすると、拭き残されたインク１２Ｍはインク残留物１２Ｍ１として、ノズル３１Ｃとノズル３１Ｅとの間の領域に付着する。ノズルプレート３２Ｅのノズル形成面３３に付着したインク１２Ｙをワイピングすると、拭き残されたインク１２Ｙはインク残留物１２Ｙ１として、ノズル３１Ｅとノズル３１Ｇとの間の領域に付着する。ノズルプレート３２Ｇのノズル形成面３３に付着したインク１２Ｒをワイピングすると、拭き残されたインク１２Ｒはインク残留物１２Ｒ１として、ノズル３１Ｇとノズル３１Ｉとの間の領域に付着する。
【０１９０】
その結果、ノズル３１Ｃ内に充填されたインク１２Ｍの近くにインク残留物１２Ｃ１が配置され、ノズル３１Ｅ内に充填されたインク１２Ｙの近くにインク残留物１２Ｍ１が配置され、ノズル３１Ｇ内に充填されたインク１２Ｒの近くにインク残留物１２Ｙ１が配置され、ノズル３１Ｉ内に充填されたインク１２Ｋの近くにインク残留物１２Ｒ１が配置される。
【０１９１】
なお、インク１２Ｃ及びインク残留物１２Ｃ１、インク１２Ｍ及びインク残留物１２Ｍ１、インク１２Ｙ及びインク残留物１２Ｙ１、並びにインク１２Ｒ及びインク残留物１２Ｒ１は、それぞれ略同じ組成を有している。このため、グリセリンの含有率は、インク１２Ｃ及びインク残留物１２Ｃ１、インク１２Ｍ及びインク残留物１２Ｍ１、インク１２Ｙ及びインク残留物１２Ｙ１、並びにインク１２Ｒ及びインク残留物１２Ｒ１で、それぞれ同じである。
このため、グリセリンの含有率は、インク残留物１２Ｃ１（インク１２Ｃ）、インク残留物１２Ｍ１（インク１２Ｍ）、インク残留物１２Ｙ１（インク１２Ｙ）、インク残留物１２Ｒ１（インク１２Ｒ）、インク１２Ｋの順に多くなっている。
【０１９２】
従って、ノズル３１Ｃ内に充填されたインク１２Ｍの近くに、インク１２Ｍよりもグリセリンの含有率が少ないインク残留物１２Ｃ１が配置され、ノズル３１Ｅ内に充填されたインク１２Ｙの近くに、インク１２Ｙよりもグリセリンの含有率が少ないインク残留物１２Ｍ１が配置され、ノズル３１Ｇ内に充填されたインク１２Ｒの近くに、インク１２Ｒよりもグリセリンの含有率が少ないインク残留物１２Ｙ１が配置され、ノズル３１Ｉ内に充填されたインク１２Ｋの近くに、インク１２Ｋよりもグリセリンの含有率が少ないインク残留物１２Ｒ１が配置される。
このように、本実施形態では、ノズル３１内に充填されたインク１２の近くに、当該インク１２よりもグリセリンの含有率が少ないインク残留物が配置される。
【０１９３】
仮に、グリセリンの含有率が、インク残留物１２Ｃ１（インク１２Ｃ）、インク残留物１２Ｍ１（インク１２Ｍ）、インク残留物１２Ｙ１（インク１２Ｙ）、インク残留物１２Ｒ１（インク１２Ｒ）、インク１２Ｋの順に少なくなった場合、ノズル３１内に充填されたインク１２の近くに、当該インク１２よりもグリセリンの含有率が多いインク残留物が配置されるようになる。
【０１９４】
グリセリンは、吸湿性を有し、水分を吸収しやすい。
グリセリンの含有率が多いインク１２は、グリセリンの含有率が少ないインク１２と比べて、水分を吸収しやすく、水分を取り込みやすい。例えば、グリセリンの含有率が多いインク１２を、グリセリンの含有率が少ないインク１２の近くに配置すると、グリセリンの含有率が少ないインク１２からグリセリンの含有率が多いインク１２に向けて、水分が移動する現象が生じる。
【０１９５】
このため、グリセリンの含有率が多いインク１２をグリセリンの含有率が少ないインク１２の近くに配置すると、グリセリンの含有率が多いインク１２は、グリセリンの含有率が少ないインク１２の中の水分を取り込み、グリセリンの含有率が少ないインク１２の中の水分（水分濃度）が減少し、グリセリンの含有率が少ないインク１２の粘度が増加するという現象が生じる。
【０１９６】
例えば、ノズル３１内に充填されたインク１２の近くに、当該インク１２よりもグリセリンの含有率が多いインク残留物が配置されると、当該インク１２の中の水分は当該インク１２よりもグリセリンの含有率が多いインク残留物の中に取り込まれ、当該インク１２の中の水分が減少し、当該インク１２が増粘し、ノズル３１から吐出されにくくなる。
【０１９７】
具体的には、例えば、ノズル３１Ｃ内に充填されたインク１２Ｍの近くに、インク１２Ｍよりもグリセリンの含有率が多いインク残留物１２Ｃ１が配置されると、インク１２Ｍの中の水分がインク残留物１２Ｃ１の中に取り込まれ、インク１２Ｍが増粘し、ノズル３１Ｃから吐出されにくくなる。
【０１９８】
インク残留物１２Ｃ１は、ノズルプレート３２Ｃのノズル形成面３３に均一に付着しないので、ノズルプレート３２Ｃのノズル形成面３３において、インク残留物１２Ｃ１が付着した部分と、インク残留物１２Ｃ１が付着していない部分とが生じる。このため、インク残留物１２Ｃ１が付着した部分では、インク残留物１２Ｃ１が付着していない部分と比べて、インク１２Ｍが増粘し、ノズル３１Ｃから吐出されにくくなるので、ノズルプレート３２Ｃのノズル形成面３３から均一にインク１２Ｍを吐出することが難しくなるという不具合が生じる。
【０１９９】
本実施形態では、ノズル３１Ｃ内に充填されたインク１２Ｍの近くに、インク１２Ｍよりもグリセリンの含有率が少ないインク残留物１２Ｃ１が配置されるので、インク１２Ｍの中の水分はインク残留物１２Ｃ１の中に取り込まれにくいので、インク１２Ｍの中の水分がインク残留物１２Ｃ１の中に取り込まれ、インク１２Ｍが増粘するという現象が生じない。
一方、インク１２Ｍはインク残留物１２Ｃ１よりもグリセリンの含有率が多いので、インク１２Ｍはインク残留物１２Ｃ１の中の水分を取り込むという現象が生じる。インク残留物１２Ｃ１はインク１２Ｍと比べて微量であるので、インク１２Ｍがインク残留物１２Ｃ１の中の水分を取り込んだとしても、インク１２Ｍの中の水分濃度の変化は微小であり、インク１２Ｍの粘度は変化しない。
【０２００】
よって、ノズル３１Ｃ内に充填されたインク１２Ｍの近くに、インク１２Ｍよりもグリセリンの含有率が少ないインク残留物１２Ｃ１が配置されると、インク残留物１２Ｃ１が付着した部分でインク１２Ｍが増粘するという現象が生じないので、ノズルプレート３２Ｃのノズル形成面３３から均一にインク１２Ｍを吐出することが難しくなるという不具合を抑制することができる。
従って、ノズル３１内に充填されたインク１２の近くに、当該インク１２よりもグリセリンの含有率が少ないインク残留物が配置されるようにすることが好ましい。
【０２０１】
本実施形態では、第２のワイパー６１Ｂ１は、グリセリンの含有率が最も少ないインク１２を吐出するノズルプレート３２Ａから、グリセリンの含有率が最も多いインク１２を吐出するノズルプレート３２Ｉに向けて移動し、ノズルプレート３２Ａとノズルプレート３２Ｃとノズルプレート３２Ｅとノズルプレート３２Ｇとノズルプレート３２Ｉとを順にワイピングする。よって、第２のワイパー６１Ｂ１によるワイピング処理において、ノズル３１内に充填されたインク１２の近くに、当該インク１２よりもグリセリンの含有率が少ないインク残留物が配置されるようになる。
従って、第２のワイパー６１Ｂ１は、インク１２のうちグリセリンの含有率が少ないインク１２を吐出するノズル３１をワイピングした後に、インク１２のうちグリセリンの含有率が多いインク１２を吐出するノズル３１をワイピングすることが好ましい。
【０２０２】
同様に、第１のワイパー６１Ａ１は、グリセリンの含有率が最も少ないインク１２を吐出するノズルプレート３２Ｊから、グリセリンの含有率が最も多いインク１２を吐出するノズルプレート３２Ｂに向けて移動し、ノズルプレート３２Ｊとノズルプレート３２Ｈとノズルプレート３２Ｆとノズルプレート３２Ｄとノズルプレート３２Ｂとを順にワイピングする。よって、第１のワイパー６１Ａ１によるワイピング処理においても、ノズル３１内に充填されたインク１２の近くに、当該インク１２よりもグリセリンの含有率が少ないインク残留物が配置されるようになる。
従って、第１のワイパー６１Ａ１は、インク１２のうちグリセリンの含有率が少ないインク１２を吐出するノズル３１をワイピングした後に、インク１２のうちグリセリンの含有率が多いインク１２を吐出するノズル３１をワイピングすることが好ましい。
【０２０３】
（実施形態４）
図１４は、図１２に対応する図であり、実施形態４に係るプリンターのワイピング処理の状態を示す概略平面図である。
本実施形態に係るプリンターではワイピング部６０が１カ所設けられている。実施形態３に係るプリンターではワイピング部６０が２カ所設けられている。この点が本実施形態と実施形態３との主な相違点である。
以下、図１４を参照し、本実施形態に係るプリンターのワイピング処理を、実施形態３に係るプリンターとの相違点を中心に説明する。また、実施形態３と同一の構成部位については、同一の符号を附し、重複する説明を省略する。
【０２０４】
図１４に示すように、本実施形態に係るプリンターは、一つのワイパー６１Ｂ１を有している。ワイパー６１Ｂ１は、図中の二点鎖線で示された方向に沿って移動し、ワイピング面１１をワイピングする。すなわち、ワイパー６１Ｂ１は、最初にＹ（＋）方向に移動し第２ノズルプレート群３６をワイピングし、その後反転し、Ｙ（−）方向に移動し第１ノズルプレート群３５をワイピングする。
【０２０５】
本実施形態は、実施形態３と比べて、ワイピングする部分の機構が簡素化され、ワイピングする部分の低コスト化やコンパクト化を図ることができる。
【０２０６】
上述した実施形態では、ノズル領域（例えば、ノズルプレート３２Ｊ）に近い側のワイピング面１１の縁（例えば、辺４０Ａ１）から、ノズル領域（例えば、ノズルプレート３２Ｊ）に遠い側のワイピング面１１の縁（例えば、辺４０Ａ３）に向かう方向に、ワイパー（例えば、第１のワイパー６１Ａ）を相対移動させてワイピング面１１をワイピングすることが重要である。すなわち、固定板４０の表面４０Ａに付着した汚れ６３が少ない側から、固定板４０の表面４０Ａに付着した汚れ６３が多い側に、ワイパー（例えば、第１のワイパー６１Ａ）を相対移動させて、ワイピング面１１をワイピングすることが重要である。
かかる構成によって、ノズルプレート３２Ｊのノズル３１の中に汚れ６３が擦り込まれにくくなり、記録ヘッド１０をより適正な状態に復帰させることができる。
【０２０７】
さらに、インク１２は、保湿材を含む構成であってもよく、保湿剤を含まない構成であってもよい。インク１２の粘度は、同じであっても、異なっていてもよい。
さらに、ワイピング面１１の上流側の縁からワイピング面１１の下流側の縁までの移動を複数回行ってワイピング面１１の全体をワイピングしてもよく、一回の移動でワイピング面１１の全体をワイピングしてもよい。
さらに、ワイパー６１のＹ方向の長さはワイピング面１１のＹ方向の長さＷと同じであっても、ワイパー６１のＹ方向の長さはワイピング面１１のＹ方向の長さＷよりも長くてもよい。
さらに、ワイピング部６０は、単数であっても、二つ以上の複数であってもよい。ワイパー６１は、単数であっても、二つ以上の複数であってもよい。
さらに、ワイピング面１１は、単数のノズルプレート３２を有する構成であってよく、複数のノズルプレート３２を有する構成であってもよい。また、ワイピング面１１が複数のノズルプレート３２を有する場合、ノズルプレート３２の配置は、千鳥であってもよく、千鳥以外の配置であってもよい。
さらに、ワイパー６１の移動の速さは、粘度のインク１２を吐出するノズルプレート３２と、高粘度のインク１２を吐出するノズルプレート３２とで、同じであってもよく、異なっていてもよい。さらに、ワイパー６１の移動の速さは、固定板４０の表面４０Ａの側と、ノズルプレート３２の側とで、同じであってもよく、異なっていてもよい。
【０２０８】
すなわち、保湿剤の有無、インク１２の粘度、ワイピング回数、ワイパー６１の長さ、ワイパー６１の数、ワイピング面１１におけるノズルプレート３２の数や配置、ワイパー６１の移動の速さなどは、任意であり、上述した実施形態の構成に限定されない。
【０２０９】
さらに、上述した実施形態においては、液体吐出装置の一例としてインクジェット式記録装置を挙げて説明したが、本発明は、広く液体吐出装置全般を対象としたものであり、インク以外の液体を吐出する液体吐出ヘッドを具備する液体吐出装置にも勿論適用することができる。その他の液体吐出ヘッドとしては、例えば、プリンター等の画像記録装置に用いられる各種の記録ヘッド、液晶ディスプレイ等のカラーフィルターの製造に用いられる色材吐出ヘッド、有機ＥＬディスプレイ、ＦＥＤ（電界放出ディスプレイ）等の電極形成に用いられる電極材料吐出ヘッド、バイオｃｈｉｐ製造に用いられる生体有機物吐出ヘッド等が挙げられ、かかる液体吐出ヘッドを備えた液体吐出装置にも適用できる。
【０２１０】
さらに、本発明は、広く液体噴射ヘッドを具備する液体噴射装置全般に適用することができる。例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等におけるワイピング処理に本発明を適用させることができる。
【符号の説明】
【０２１１】
１…プリンター、１０…記録ヘッド、１１…ワイピング面、１２…インク、３１…ノズル、３２…ノズルプレート、３３…ノズル形成面、４０…固定板、４０Ａ…表面、４０Ａ１，４０Ａ２，４０Ａ３，４０Ａ４…辺、４１…開口部、６０…ワイピング部、６１…ワイパー、６１Ａ…第１のワイパー、６１Ｂ…第２のワイパー、６３…汚れ、１２２…キャリッジユニット、１２３…ヘッドユニット、１２４…メンテナンスユニット、１２５…キャップユニット、１２６…クリーニングユニット、３１Ｊ２Ａ…辺４０Ａ１の最も近くに配置されたノズル、３１Ｊ２Ｂ…辺４０Ａ１の最も遠くに配置されたノズル、Ｄ１…辺４０Ａ１とノズル３１Ｊ２Ａとの間の距離、Ｄ２…辺４０Ａ３とノズル３１Ｊ２Ｂとの間の距離。
【図１】
2017124517.tif 000003
【図２】
2017124517.tif 000004
【図３】
2017124517.tif 000005
【図４】
2017124517.tif 000006
【図５】
2017124517.tif 000007
【図６】
2017124517.tif 000008
【図７】
2017124517.tif 000009
【図８】
2017124517.tif 000010
【図９】
2017124517.tif 000011
【図１０】
2017124517.tif 000012
【図１１】
2017124517.tif 000013
【図１２】
2017124517.tif 000014
【図１３】
2017124517.tif 000015
【図１４】
2017124517.tif 000016